(57)【要約】      （修正有）【課題】モバイルブロードバンドアクセスに対する需要が増え続けるのに伴い、ＬＴＥ技術におけるさらなる改良のために、特にワイヤレスネットワークにおける多地点協調動作とネットワーク支援型干渉抑制および／または干渉キャンセレーションと間のインタラクションを提供する。【解決手段】ワイヤレス通信の方法であって、第１の仮想セル識別情報を識別し、識別された第１の仮想セル識別情報に基づいて１つまたは複数のパラメータに関連付けられる１つまたは複数の仮想セルを決定し、決定に基づいて１つのチャネルを処理する。【選択図】図１８
2019195182.tif 000002
【特許請求の範囲】
【請求項１】
ワイヤレス通信の方法であって、
第１の仮想セル識別情報（ＶＣＩ）を識別することと、
前記識別された第１のＶＣＩに少なくとも部分的に基づいて少なくとも１つの第１の仮想セルを決定すること、ここにおいて、各仮想セルは、パラメータのセットの少なくとも１つのパラメータに関連付けられる、と、
前記決定に少なくとも部分的に基づいて少なくとも１つのチャネルを処理することと  を備える方法。
【請求項２】
前記第１のＶＣＩは、半静的構成または制御チャネル内の情報フィールドに少なくとも部分的に基づいて識別される、請求項１に記載の方法。
【請求項３】
レート整合動作、多地点協調（ＣｏＭＰ）のためのクアジコロケーション動作、またはそれらの組み合わせに関するパラメータの前記セットを受信することをさらに備える、請求項１に記載の方法。
【請求項４】
前記レート整合動作および前記ＣｏＭＰのためのクアジコロケーション動作は、少なくとも、物理ダウンリンク共有チャネル（ＰＤＳＣＨ）、拡張物理ダウンリンク制御チャネル（ＥＰＤＣＣＨ）、またはそれらの組み合わせのためのものである、請求項３に記載の方法。
【請求項５】
前記第１のＶＣＩ、パラメータの前記セット、前記少なくとも１つの第１の仮想セル、またはそれらの組み合わせに少なくとも部分的に基づいて、前記処理することのためのタイミングを決定することをさらに備える、請求項３に記載の方法。
【請求項６】
前記処理することは、干渉キャンセレーションまたは干渉抑制を備える、請求項１に記載の方法。
【請求項７】
前記干渉キャンセレーションまたは干渉抑制は、少なくとも、セル間干渉、シングルユーザ多入力多出力（ＳＵ−ＭＩＭＯ）動作によるセル内干渉、マルチユーザＭＩＭＯ（ＭＵ−ＭＩＭＯ）動作によるセル内干渉、またはそれらの組み合わせについて行われる、請求項６に記載の方法。
【請求項８】
前記少なくとも１つのパラメータは、少なくとも、セル識別情報、セル固有基準信号（ＣＲＳ）のためのポートの数、ＣＲＳの周波数シフト、復調基準信号、データチャネルまたは制御チャネルに関する変調次数、少なくとも１つのチャネル状態情報基準信号（ＣＳＩ−ＲＳ）構成、またはそれらの組み合わせを備える、請求項１に記載の方法。
【請求項９】
前記第１のＶＣＩとは異なる第２のＶＣＩを識別することをさらに備え、ここにおいて、少なくとも１つの第２の仮想セルは、前記識別された第２のＶＣＩに少なくとも部分的に基づいて決定される、請求項１に記載の方法。
【請求項１０】
前記少なくとも１つの第２の仮想セルは、前記第１のＶＣＩに関連付けられた前記少なくとも１つの第１の仮想セルとは異なり、差分は、少なくとも、仮想セルの数、前記少なくとも１つの第１の仮想セルに関連付けられた前記少なくとも１つのパラメータ、またはそれらの組み合わせを備える、請求項９に記載の方法。
【請求項１１】
前記第１のＶＣＩおよび前記第２のＶＣＩは、同じフレームにおいて識別される、請求項９に記載の方法。
【請求項１２】
前記第１のＶＣＩは、第１のサブフレームにおいて識別され、前記第２のＶＣＩは、前記第１のサブフレームとは異なる第２のサブフレームにおいて識別される、請求項９に記載の方法。
【請求項１３】
前記少なくとも１つのチャネルは、データチャネルまたは制御チャネルである、請求項１に記載の方法。
【請求項１４】
ワイヤレス通信の方法であって、
複数の干渉測定リソース（ＩＭＲ）間の観測された干渉における差分を決定することと、
前記決定された差分に少なくとも部分的に基づいてチャネル状態情報（ＣＳＩ）を報告することと
を備える方法。
【請求項１５】
ワイヤレス通信のための装置であって、
メモリと、
前記メモリに結合された少なくとも１つのプロセッサと、
を備え、
前記少なくとも１つのプロセッサは、
第１の仮想セル識別情報（ＶＣＩ）を識別することと、
前記識別された第１のＶＣＩに少なくとも部分的に基づいて少なくとも１つの第１の仮想セルを決定すること、ここにおいて、各仮想セルは、パラメータのセットの少なくとも１つのパラメータに関連付けられる、と、
前記決定に少なくとも部分的に基づいて少なくとも１つのチャネルを処理することと  を行うように構成される、装置。
【請求項１６】
前記第１のＶＣＩは、半静的構成または制御チャネル内の情報フィールドに少なくとも部分的に基づいて識別される、請求項１５に記載の装置。
【請求項１７】
前記少なくとも１つのプロセッサは、レート整合動作、多地点協調（ＣｏＭＰ）のためのクアジコロケーション動作、またはそれらの組み合わせに関するパラメータの前記セットを受信するようにさらに構成される、請求項１５に記載の装置。
【請求項１８】
前記レート整合動作および前記ＣｏＭＰのためのクアジコロケーション動作は、少なくとも、物理ダウンリンク共有チャネル（ＰＤＳＣＨ）、拡張物理ダウンリンク制御チャネル（ＥＰＤＣＣＨ）、またはそれらの組み合わせのためのものである、請求項１７に記載の装置。
【請求項１９】
前記少なくとも１つのプロセッサは、前記第１のＶＣＩ、パラメータの前記セット、前記少なくとも１つの第１の仮想セル、またはそれらの組み合わせに少なくとも部分的に基づいて前記少なくとも１つのチャネルを処理するためのタイミングを決定するようにさらに構成される、請求項１７に記載の装置。
【請求項２０】
前記少なくとも１つのプロセッサは、干渉キャンセレーションまたは干渉抑制を行うことによって処理するようにさらに構成される、請求項１５に記載の装置。
【請求項２１】
前記干渉キャンセレーションまたは干渉抑制は、少なくとも、セル間干渉、シングルユーザ多入力多出力（ＳＵ−ＭＩＭＯ）動作によるセル内干渉、マルチユーザＭＩＭＯ（ＭＵ−ＭＩＭＯ）動作によるセル内干渉、またはそれらの組み合わせについて行われる、請求項２０に記載の装置。
【請求項２２】
前記少なくとも１つのパラメータは、少なくとも、セル識別情報、セル固有基準信号（ＣＲＳ）のためのポートの数、ＣＲＳの周波数シフト、復調基準信号、データチャネルまたは制御チャネルに関する変調次数、少なくとも１つのチャネル状態情報基準信号（ＣＳＩ−ＲＳ）構成、またはそれらの組み合わせを備える、請求項１５に記載の装置。
【請求項２３】
前記少なくとも１つのプロセッサは、前記第１のＶＣＩとは異なる第２のＶＣＩを識別するようにさらに構成され、ここにおいて、少なくとも１つの第２の仮想セルは、前記識別された第２のＶＣＩに少なくとも部分的に基づいて決定される、請求項１５に記載の装置。
【請求項２４】
前記少なくとも１つの第２の仮想セルは、前記第１のＶＣＩに関連付けられた前記少なくとも１つの第１の仮想セルとは異なり、前記差分は、少なくとも、仮想セルの数、前記少なくとも１つの第１の仮想セルに関連付けられた前記少なくとも１つのパラメータ、またはそれらの組み合わせを備える、請求項２３に記載の装置。
【請求項２５】
前記第１のＶＣＩおよび前記第２のＶＣＩは、同じフレームにおいて識別される、請求項２３に記載の装置。
【請求項２６】
前記第１のＶＣＩは、第１のサブフレームにおいて識別され、前記第２のＶＣＩは、前記第１のサブフレームとは異なる第２のサブフレームにおいて識別される、請求項２３に記載の装置。
【請求項２７】
前記少なくとも１つのチャネルは、データチャネルまたは制御チャネルである、請求項１５に記載の装置。
【請求項２８】
ワイヤレス通信のための装置であって、
メモリと、
前記メモリに結合された少なくとも１つのプロセッサと、
を備え、
前記少なくとも１つのプロセッサは、
複数の干渉測定リソース（ＩＭＲ）間の観測された干渉における差分を決定することと、
前記決定された差分に少なくとも部分的に基づいてチャネル状態情報（ＣＳＩ）を報告することと
を行うように構成された、装置。
【発明の詳細な説明】
【関連出願の相互参照】
【０００１】
[0001]  本願は、米国特許法１１９条（ｅ）に基づいて、２０１３年５月１０日に出願された「COORDINATED MULTIPOINT (CoMP) AND NETWORK ASSISTED INTERFERENCE SUPPRESSION/CANCELLATION」と題する米国特許仮出願第６１／８２２，２４９号の利益を主張し、その開示は、その全体が参照によって本明細書に明確に組み込まれる。
【技術分野】
【０００２】
[0002]  本開示の態様は一般にワイヤレス通信システムに関し、より具体的には、ワイヤレスネットワークにおける多地点協調動作とネットワーク支援型干渉抑制および／または干渉キャンセレーションと間のインタラクションに関する。
【背景技術】
【０００３】
[0003]  ワイヤレス通信システムは、電話通信、ビデオ、データ、メッセージング、およびブロードキャストといった様々な電気通信サービスを提供するために広く展開されている。典型的なワイヤレス通信システムは、利用可能なシステムリソース（例えば、帯域幅、伝送電力）を共有することによって複数のユーザとの通信をサポートすることが可能な多元接続技術を用いうる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一キャリア周波数分割多元接続（ＳＣ−ＦＤＭＡ）システム、および時分割同期符号分割多元接続（ＴＤ−ＳＣＤＭＡ）システムを含む。
【０００４】
[0004]  これら多元接続技術は、異なるワイヤレスデバイスが、都市、国家、地域、さらには地球規模で通信することを可能にする共通プロトコルを提供するために、様々な電気通信規格において採用されている。新興の電気通信規格の例は、ロングタームエボリューション（ＬＴＥ（登録商標））である。ＬＴＥは、第３世代パートナーシッププロジェクト（３ＧＰＰ（登録商標））によって発表されたユニバーサルモバイル電気通信システム（ＵＭＴＳ）のモバイル規格の拡張セットである。これは、スペクトル効率を改善することによってモバイルブロードバンドインターネットアクセスをより快適にサポートし、コストを下げ、サービスを向上させ、新たなスペクトルを利用し、ダウンリンク（ＤＬ）ではＯＦＤＭＡを、アップリンク（ＵＬ）ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増え続けるのに伴い、ＬＴＥ技術におけるさらなる改良の必要がある。望ましくは、これらの改良は、これらの技術を用いる他の多元接続技術および電気通信規格に適用可能であるべきである。
【０００５】
[0005]  これは、以下に続く詳細な説明がより良く理解されうるように、本開示の特徴および技術的利点を幾分幅広く概説している。本開示の追加の特徴および利点が以下で説明されるだろう。この開示が、本開示の目的と同じ目的を実行するために他の構造を改良または設計するための基礎として容易に利用されうることは、当業者によって認識されるべきである。また、このような等価の構成が、添付されている特許請求の範囲で示される本開示の教示から逸脱しないことも、当業者によって理解されるべきである。本開示の特性であると考えられる新規な特徴は、その構成および動作の方法の両方について、さらなる目的および利点とともに、添付の図面に関連して考慮された場合に、以下の説明からより良く理解されるであろう。しかしながら、図の各々が、例示および説明の目的でのみ提供され、本開示の限定の定義として意図されるものではないことは明確に理解されるべきである。
【発明の概要】
【０００６】
[0006]  本開示の一態様では、ワイヤレス通信の方法が開示されている。方法は、第１の仮想セル識別情報を識別することを含む。方法はまた、識別された第１の仮想セル識別情報に基づいて１つまたは複数の仮想セルを決定することを含む。方法は、決定に基づいて１つまたは複数のチャネルを処理することをさらに含む。
【０００７】
[0007]  本開示の別の態様は、第１の仮想セル識別情報を識別するための手段を含む装置を対象とする。装置はまた、識別された第１の仮想セル識別情報に基づいて１つまたは複数の仮想セルを決定するための手段を含む。装置は、決定に基づいて１つまたは複数のチャネルを処理するための手段をさらに含む。
【０００８】
[0008]  本開示の別の態様では、非一時的コンピュータ可読媒体を有するワイヤレスネットワークにおけるワイヤレス通信のためのコンピュータプログラム製品が開示されている。コンピュータ可読媒体には、プロセッサ（１つまたは複数）によって実行されると、第１の仮想セル識別情報を識別する動作を行うことをプロセッサ（１つまたは複数）に行わせる非一時的プログラムコードが記憶されている。プログラムコードはまた、識別された第１の仮想セル識別情報に基づいて１つまたは複数の仮想セルを決定することをプロセッサ（１つまたは複数）に行わせる。プログラムコードは、決定に基づいて１つまたは複数のチャネルを処理することをプロセッサ（１つまたは複数）にさらに行わせる。
【０００９】
[0009]  本開示の別の態様は、メモリと、このメモリに結合された少なくとも１つのプロセッサとを有するワイヤレス通信のための装置を対象とする。プロセッサ（１つまたは複数）は、第１の仮想セル識別情報を識別するように構成される。プロセッサ（１つまたは複数）はまた、識別された第１の仮想セル識別情報に基づいて１つまたは複数の仮想セルを決定するように構成される。プロセッサ（１つまたは複数）は、決定に基づいて１つまたは複数のチャネルを処理するようにさらに構成される。
【００１０】
[0010]  本開示の一態様では、ワイヤレス通信の方法が開示されている。方法は、複数の測定リソース間の観測された干渉における差分を決定することを含む。方法はまた、決定された差分に基づいてチャネル状態情報を報告することを含む。
【００１１】
[0011]  本開示の別の態様は、複数の測定リソース間の観測された干渉における差分を決定するための手段を含む装置を対象とする。装置はまた、決定された差分に基づいてチャネル状態情報を報告するための手段を含む。
【００１２】
[0012]  本開示の別の態様では、非一時的コンピュータ可読媒体を有する、ワイヤレスネットワークにおけるワイヤレス通信のためのコンピュータプログラム製品が開示されている。コンピュータ可読媒体には、プロセッサ（１つまたは複数）によって実行されると、複数の測定リソース間の観測された干渉における差分を決定する動作を行うことをプロセッサ（１つまたは複数）に行わせる非一時的プログラムコードが記憶されている。プログラムコードはまた、決定された差分に基づいてチャネル状態情報を報告することをプロセッサ（１つまたは複数）に行わせる。
【００１３】
[0013]  本開示の別の態様は、メモリと、このメモリに結合された少なくとも１つのプロセッサとを有するワイヤレス通信のための装置を対象とする。プロセッサ（１つまたは複数）は、複数の測定リソース間の観測された干渉における差分を決定するように構成される。プロセッサ（１つまたは複数）はまた、決定された差分に基づいてチャネル状態情報を報告するように構成される。
【００１４】
[0014]  本開示の追加の特徴および利点が以下に説明されるだろう。この開示が、本開示の目的と同じ目的を実行するために他の構造を改良または設計するための基礎として容易に利用されうることは、当業者によって認識されるべきである。また、このような等価の構成が、添付されている特許請求の範囲で示される本開示の教示から逸脱しないことも、当業者によって理解されるべきである。本開示の特性であると考えられる新規な特徴は、その構成および動作の方法の両方について、さらなる目的および利点とともに、添付の図面に関連して考慮された場合に、以下の説明からより良く理解されるであろう。しかしながら、図の各々が、例示および説明の目的でのみ提供され、本開示の限定の定義として意図されるものではないことは明確に理解されるべきである。
【００１５】
[0015]  本開示の特徴、性質、および利点は、同様の参照符号が全体にわたって相応じて識別する図面とともに考慮された場合に、以下に示される詳細な説明からより明らかになるであろう。
【図面の簡単な説明】
【００１６】
【図１】図１は、ネットワークアーキテクチャの例を例示する図である。
【図２】図２は、アクセスネットワークの例を例示する図である。
【図３】図３は、ＬＴＥにおけるダウンリンクフレーム構造の例を例示する図である。
【図４】図４は、ＬＴＥにおけるアップリンクフレーム構造の例を例示する図である。
【図５】図５は、ユーザプレーンおよび制御プレーンのための無線プロトコルアーキテクチャの例を例示する図である。
【図６】図６は、アクセスネットワークにおける発展型ノードＢおよびユーザ機器の例を例示する図である。
【図７】図７は、連続的なキャリアアグリゲーションタイプを例示する図である。
【図８】図８は、非連続的なキャリアアグリゲーションタイプを例示する図である。
【図９】図９は、ＭＡＣレイヤデータアグリゲーションを例示する図である。
【図１０】図１０は、様々なＥＰＤＣＣＨ構造を例示する図である。
【図１１】図１１は、本開示の態様に係る、同種および異種ＣｏＭＰデプロイメント（deployment）シナリオを例示する図である。
【図１２】図１２は、本開示の態様に係る、クアジコロケーション（ＱＣＬ：Quasi-co-location）挙動を例示する図である。
【図１３】図１３は、本開示の態様に係る、ＣｏＭＰ動作のためのＱＣＬ挙動を例示する図である。
【図１４】図１４は、本開示の態様に係る、あるデプロイメントシナリオを例示する図である。
【図１５Ａ】図１５Ａは、本開示の態様に係る、別のデプロイメントシナリオを例示する図である。
【図１５Ｂ】図１５Ｂは、本開示の態様に係る、さらに別のデプロイメントシナリオを例示する図である。
【図１６】図１６は、本開示の態様に係る、さらに別のデプロイメントシナリオを例示する図である。
【図１７】図１７は、本開示の態様に係る、例示的な仮想セル構成を例示するチャートである。
【図１８】図１８は、本開示の態様に係る、ワイヤレス通信の方法を例示するブロック図である。
【図１９】図１９は、例示的な装置における異なるモジュール／手段／構成要素を例示するブロック図である。
【図２０Ａ】図２０Ａは、本開示の態様に係る、例示的なプロセスを例示するフロー図である。
【図２０Ｂ】図２０Ｂは、本開示の態様に係る、例示的なプロセスを例示するフロー図である。
【図２１】図２１は、例示的な装置における異なるモジュール／手段／構成要素を例示するブロック図である。
【図２２】図２２は、例示的な装置における異なるモジュール／手段／構成要素を例示するブロック図である。
【発明を実施するための形態】
【００１７】
[0035]  添付の図面に関連して以下に示される詳細な説明は、様々な構成の説明を意図したものであり、本明細書において説明される概念が実施されうる唯一の構成を表すことを意図したものではない。この詳細な説明は、様々な概念の完全な理解を提供するために特定の詳細を含む。しかしながら、これらの概念がこれらの特定の詳細なしに実施されうることは当業者には明らかであろう。いくつかの事例では、そのような概念を曖昧にしないために、周知の構造および構成要素がブロック図の形式で示される。
【００１８】
[0036]  電気通信システムの態様が、様々な装置および方法を参照して提示される。これら装置および方法は、以下の詳細な説明で説明され、様々なブロック、モジュール、構成要素、回路、ステップ、プロセス、アルゴリズム、等（総称して「エレメント」と呼ばれる）によって添付の図面で例示される。これらエレメントは、電子ハードウェア、コンピュータソフトウェア、またはそれらの任意の組み合わせを使用して実現されうる。そのようなエレメントがハードウェアとして実現されるかソフトウェアとして実現されるかは、特定の用途およびシステム全体に課される設計制約に依存する。
【００１９】
[0037]  例として、１つのエレメント、または１つのエレメントの任意の部分、あるいは複数のエレメントの任意の組み合わせは、１つまたは複数のプロセッサを含む「処理システム」で実現されうる。プロセッサの例には、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲート論理、ディスクリートハードウェア回路、および本開示全体を通して説明される様々な機能性を行うように構成された他の適切なハードウェアが含まれる。処理システム内の１つまたは複数のプロセッサはソフトウェアを実行しうる。ソフトウェアは、ソフトウェア、ファームウェア、ミドルウェア、マイクロコード、ハードウェア記述言語、またはそれ以外の名称で呼ばれようと、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味するものと広く解釈されるものとする。
【００２０】
[0038]  したがって、１つまたは複数の例示的な実施形態では、説明される機能が、ハードウェアで、ソフトウェアで、ファームウェアで、またはそれらの任意の組み合わせで実現されうる。ソフトウェアで実現される場合、それら機能は、非一時的コンピュータ可読媒体上で、１つまたは複数の命令またはコードとして記憶または符号化されうる。コンピュータ可読媒体はコンピュータ記憶媒体を含む。記憶媒体は、コンピュータによりアクセスされることができる任意の利用可能な媒体でありうる。限定ではなく例として、このようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは、データ構造または命令の形式で所望のプログラムコードを記憶または搬送するために使用されることができ、かつコンピュータによってアクセスされることができるその他の媒体を備えうる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびブルーレイ（登録商標）ディスクを含み、ここでディスク（disk）は通常、磁気的にデータを再生し、ディスク（disc）は、レーザーを用いて光学的にデータを再生する。上記の組み合わせもまた、コンピュータ可読媒体の範囲内に含まれるべきである。
【００２１】
[0039]  図１は、ＬＴＥネットワークアーキテクチャ１００を例示する図である。ＬＴＥネットワークアーキテクチャ１００は、発展型パケットシステム（ＥＰＳ）１００と呼ばれうる。ＥＰＳ１００は、１つまたは複数のユーザ機器（ＵＥ）１０２、発展型ＵＭＴＳ地上無線アクセスネットワーク（Ｅ−ＵＴＲＡＮ）１０４、発展型パケットコア（ＥＰＣ）１１０、ホーム加入者サーバ（ＨＳＳ）１２０、およびオペレータのＩＰサービス１２２を含みうる。ＥＰＳは、他のアクセスネットワークと相互接続することができるが、簡潔さのために、それらのエンティティ／インターフェースは示されていない。示されるように、ＥＰＳは、パケット交換サービスを提供するが、当業者が容易に認識するであろうように、本開示全体にわたって示される様々な概念は、回線交換サービスを提供するネットワークに拡張されうる。
【００２２】
[0040]  Ｅ−ＵＴＲＡＮは、発展型ノードＢ（ｅノードＢまたはｅＮＢ）１０６と他のｅノードＢ１０８とを含む。ｅノードＢ１０６は、ＵＥ１０２に対してユーザおよび制御プレーンプロトコル終端を提供する。ｅノードＢ１０６は、バックホール（例えば、Ｘ２インターフェース）を介して、他のｅノードＢ１０８に接続されうる。ｅノードＢ１０６はまた、基地局、トランシーバ基地局、無線基地局、無線トランシーバ、トランシーバ機能、基本サービスセット（ＢＳＳ）、拡張サービスセット（ＥＳＳ）、または何らかの他の適した専門用語で呼ばれうる。ｅノードＢ１０６は、ＥＰＣ１１０へのアクセスポイントをＵＥ１０２に提供する。ＵＥ１０２の例には、セルラ電話、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレーヤ（例えば、ＭＰ３プレーヤ）、カメラ、ゲーム機器、またはその他の同様に機能するデバイスが含まれる。ＵＥ１０２はまた、当業者によって、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれうる。
【００２３】
[0041]  ｅノードＢ１０６は、例えば、Ｓ１インターフェースを介して、ＥＰＣ１１０に接続される。ＥＰＣ１１０は、モビリティ管理エンティティ（ＭＭＥ）１１２、他のＭＭＥ１１４、サービングゲートウェイ１１６、およびパケットデータネットワーク（ＰＤＮ）ゲートウェイ１１８を含む。ＭＭＥ１１２は、ＵＥ１０２とＥＰＣ１１０との間のシグナリングを処理する制御ノードである。一般に、ＭＭＥ１１２は、ベアラおよび接続管理を提供する。すべてのユーザＩＰパケットは、自体がＰＤＮゲートウェイ１１８に接続されているサービングゲートウェイ１１６を通じて転送される。ＰＤＮゲートウェイ１１８は、ＵＥ ＩＰアドレス割振りに加え、他の機能も提供する。ＰＤＮゲートウェイ１１８は、オペレータのＩＰサービス１２２に接続される。オペレータのＩＰサービス１２２は、インターネット、イントラネット、ＩＰマルチメディアサブシステム（ＩＭＳ）、およびＰＳストリーミングサービス（ＰＳＳ）を含みうる。
【００２４】
[0042]  図２は、ＬＴＥネットワークアーキテクチャにおけるアクセスネットワーク２００の例を例示する図である。この例では、アクセスネットワーク２００が、多数のセルラ領域（セル）２０２に分割されている。１つまたは複数のより低い電力クラスのｅノードＢ２０８は、セル２０２のうちの１つまたは複数と重複するセルラ領域２１０を有しうる。より低い電力クラスのｅノードＢ２０８は、リモート無線ヘッド（ＲＲＨ）、フェムトセル（例えば、ホームｅノードＢ（ＨｅＮＢ））、ピコセル、またはマイクロセルでありうる。マクロｅノードＢ２０４は各々、それぞれのセル２０２に割り当てられ、ＥＰＣ１１０へのアクセスポイントをセル２０２内のすべてのＵＥ２０６に提供するように構成される。アクセスネットワーク２００のこの例には集中型（centralized）コントローラは存在しないが、代替の構成では、集中型コントローラが使用されうる。ｅノードＢ２０４は、無線ベアラ制御、アドミッション制御、モビリティ制御、スケジューリング、セキュリティ、およびサービングゲートウェイ１１６への接続を含む、すべての無線関連の機能を担う。
【００２５】
[0043]  アクセスネットワーク２００によって用いられる変調および多元接続スキームは、展開されている特定の電気通信規格によって異なりうる。ＬＴＥアプリケーションでは、周波数分割複信（ＦＤＤ）および時分割複信（ＴＤＤ）の両方をサポートするためにＯＦＤＭがダウンリンク上で使用され、ＳＣ−ＦＤＭＡがアップリンク上で使用される。以下に続く詳細な説明から当業者が容易に理解するであろうように、本明細書で提示される様々な概念は、ＬＴＥアプリケーションによく適している。しかしながら、これら概念は、他の変調および多元接続技法を用いる他の電気通信規格に容易に拡張されうる。例として、これら概念は、ＥＶ−ＤＯ（Evolution-Data Optimized）またはウルトラモバイルブロードバンド（ＵＭＢ）に拡張されうる。ＥＶ−ＤＯおよびＵＭＢは、ＣＤＭＡ２０００規格ファミリの一部として、第３世代パートナーシッププロジェクト２（３ＧＰＰ２）によって公表されたエアインターフェース規格であり、ＣＤＭＡを用いてモバイル局にブロードバンドインターネットアクセスを提供する。これら概念はまた、広帯域ＣＤＭＡ（Ｗ−ＣＤＭＡ（登録商標））、およびＴＤ−ＳＣＤＭＡのようなＣＤＭＡの他の変形例を用いるユニバーサル地上無線アクセス（ＵＴＲＡ）、ＴＤＭＡを用いるモバイル通信のためのグローバルシステム（ＧＳＭ（登録商標））、ＯＦＤＭＡを用いる、発展型ＵＴＲＡ（Ｅ−ＵＴＲＡ）、ウルトラモバイルブロードバンド（ＵＭＢ）、ＩＥＥＥ８０２.１１（Ｗｉ−Ｆｉ）、ＩＥＥＥ８０２.１６（ＷｉＭＡＸ）、ＩＥＥＥ８０２.２０、およびフラッシュＯＦＤＭに拡張されうる。ＵＴＲＡ、Ｅ−ＵＴＲＡ、ＵＭＴＳ、ＬＴＥ、およびＧＳＭは、３ＧＰＰ団体からの文書で説明されている。ＣＤＭＡ２０００およびＵＭＢは、３ＧＰＰ２団体からの文書で説明されている。用いられる実際のワイヤレス通信規格および多元接続技術は、特定の用途およびシステムに課せられ設計制約全体に依存するであろう。
【００２６】
[0044]  ｅノードＢ２０４は、ＭＩＭＯ技術をサポートする複数のアンテナを有しうる。ＭＩＭＯ技術の使用により、ｅノードＢ２０４は、空間多重化、ビームフォーミング、および送信ダイバーシティをサポートするために空間ドメインを活用することができる。空間多重化は、異なるデータストリームを同じ周波数上で同時に送信するために使用されうる。データストリームは、データレートを増加させるために単一のＵＥ２０６に送信されるか、または、全体的なシステム容量を増加させるために複数のＵＥ２０６に送信されうる。これは、各データストリームを空間的にプリコーディングし（すなわち、振幅および位相のスケーリングを適用し）、次いで、空間的にプリコーディングされた各ストリームを、ダウンリンク上で複数の送信アンテナを通じて送信することによって達成される。空間的にプリコーディングされたデータストリームは、異なる空間シグネチャとともにＵＥ（１つまたは複数）２０６に到着し、これは、ＵＥ（１つまたは複数）２０６の各々が、そのＵＥ２０６に宛てられた１つまたは複数のデータストリームを復元することを可能にする。アップリンク上で、各ＵＥ２０６は、空間的にプリコーディングされたデータストリームを送信し、これは、ｅノードＢ２０４が、空間的にプリコーディングされた各データストリームのソースを識別することを可能にする。
【００２７】
[0045]  空間多重化は一般に、チャネル条件が良好なときに使用される。チャネル条件がそれ程良好でないときは、送信エネルギを１つまたは複数の方向に集中させるために、ビームフォーミングが使用されうる。これは、複数のアンテナを通じて送信するためのデータを空間的にプリコーディングすることによって達成されうる。セルのエッジで良好なカバレッジを達成するために、単一のストリームビームフォーミング送信が、送信ダイバーシティと組み合わせて使用されうる。
【００２８】
[0046]  以下に続く詳細な説明では、アクセスネットワークの様々な態様が、ダウンリンク上でＯＦＤＭをサポートするＭＩＭＯシステムを参照して説明されるだろう。ＯＦＤＭは、ＯＦＤＭシンボル内の多数のサブキャリアにわたってデータを変調するスペクトル拡散技法である。これらサブキャリアは、正確な周波数で間隔が空けられている。この間隔を空けること（spacing）は、受信機がこれらサブキャリアからのデータを復元することを可能にする「直交性」を提供する。時間ドメインでは、ＯＦＤＭシンボル間干渉に対抗するために、ガードインターバル（例えば、サイクリックプリフィックス）が各ＯＦＤＭシンボルに追加されうる。アップリンクは、高いピーク対平均電力比（ＰＡＰＲ）を補償するために、ＤＦＴ拡散ＯＦＤＭ信号の形式でＳＣ−ＦＤＭＡを使用しうる。
【００２９】
[0047]  図３は、ＬＴＥにおけるダウンリンクフレーム構造の例を例示する図３００である。フレーム（１０ｍｓ）は、１０個の等しいサイズのサブフレームに分割されうる。各サブフレームは、２個の連続するタイムスロットを含みうる。リソースグリッドが、２つのタイムスロットを表すために使用され得、各タイムスロットは、リソースブロックを含む。リソースグリッドは、複数のリソースエレメントに分割される。ＬＴＥでは、リソースブロックが、周波数ドメインに１２個の連続するサブキャリアを含み、各ＯＦＤＭシンボルにおけるノーマルサイクリックプリフィクスの場合、時間ドメインに７個の連続するＯＦＤＭシンボルを含み、すなわち、８４個のリソースエレメントを含む。拡張サイクリックプリフィクスの場合、リソースブロックは、時間ドメインに６個の連続するＯＦＤＭシンボルを含み、７２個のリソースエレメントを有する。Ｒ３０２、３０４として示されている、リソースエレメントのうちのいくつかは、ダウンリンク基準信号（ＤＬ−ＲＳ）を含む。ＤＬ−ＲＳは、セル固有ＲＳ（ＣＲＳ）（共通ＲＳと称されることもある）３０２と、ＵＥ固有ＲＳ（ＵＥ−ＲＳ）（復調ＲＳまたはＤＭ−ＲＳとも呼ばれる）３０４とを含む。ＵＥ−ＲＳ３０４は、対応する物理ダウンリンク共有チャネル（ＰＤＳＣＨ）がマッピングされるリソースブロック上でのみ送信される。各リソースエレメントによって搬送されるビット数は、変調スキームに依存する。したがって、ＵＥが受信するリソースブロックが多いほど、および、変調スキームが高度であるほど、そのＵＥに関するデータレートはより高くなる。
【００３０】
[0048]  図４は、ＬＴＥにおけるアップリンクフレーム構造の例を例示する図４００である。アップリンクのための利用可能なリソースブロックは、データセクションと制御セクションとに分割されうる。制御セクションは、システム帯域幅の両端に形成され得、設定可能なサイズを有しうる。制御セクション内のリソースブロックは、制御情報の送信のためにＵＥに割り当てられうる。データセクションは、制御セクションに含まれないすべてのリソースブロックを含みうる。アップリンクフレーム構造は、連続したサブキャリアを含むデータセクションをもたらし、これは、単一のＵＥに、データセクション内の連続したサブキャリアのすべてが割り当てられることを可能にしうる。
【００３１】
[0049]  ＵＥは、ｅノードＢに制御情報を送信するために、制御セクション内のリソースブロック４１０ａ、４１０ｂが割り当てられうる。ＵＥはまた、ｅノードＢにデータを送信するために、データセクション内のリソースブロック４２０ａ、４２０ｂが割り当てられうる。ＵＥは、制御セクション内の割り当てられたリソースブロック上の物理アップリンク制御チャネル（ＰＵＣＣＨ）において制御情報を送信しうる。ＵＥは、データセクション内の割り当てられたリソースブロック上の物理アップリンク共有チャネル（ＰＵＳＣＨ）においてデータのみ、またはデータおよび制御情報の両方を送信しうる。アップリンク送信は、サブフレームの両スロットに及び得、周波数にわたってホッピングしうる。
【００３２】
[0050]  リソースブロックのセットは、物理ランダムアクセスチャネル（ＰＲＡＣＨ）４３０において、初期システムアクセスを行い、アップリンク同期を達成するために使用されうる。ＰＲＡＣＨ４３０はランダムシーケンスを搬送する。各ランダムアクセスプリアンブルは、６個の連続するリソースブロックに対応する帯域幅を占有する。開始周波数は、ネットワークによって指定される。すなわち、ランダムアクセスプリアンブルの送信は、特定の時間および周波数リソースに制限される。ＰＲＡＣＨについては、周波数ホッピングはない。ＰＲＡＣＨの試みは、単一のサブフレーム（１ｍｓ）において、またはわずかな数の連続したサブフレームのシーケンスにおいて搬送され、ＵＥは、１フレーム（１０ｍｓ）につき単一のＰＲＡＣＨの試みのみを行うことができる。
【００３３】
[0051]  図５は、ＬＴＥにおけるユーザプレーンおよび制御プレーンのための無線プロトコルアーキテクチャの例を例示する図５００である。ＵＥおよびｅノードＢのための無線プロトコルアーキテクチャが、レイヤ１、レイヤ２、およびレイヤ３という３つのレイヤで示される。レイヤ１（Ｌ１レイヤ）は最下位レイヤであり、様々な物理レイヤ信号処理機能を実現する。Ｌ１レイヤは、本明細書で、物理レイヤ５０６と呼ばれるだろう。レイヤ２（Ｌ２レイヤ）５０８は、物理レイヤ５０６よりも上位であり、物理レイヤ５０６を通してＵＥとｅノードＢとの間のリンクを担う。
【００３４】
[0052]  ユーザプレーンでは、Ｌ２レイヤ５０８が、媒体アクセス制御（ＭＡＣ）サブレイヤ５１０、無線リンク制御（ＲＬＣ）サブレイヤ５１２、およびパケットデータコンバージェンスプロトコル（ＰＤＣＰ）５１４サブレイヤを含み、これらは、ネットワーク側のｅノードＢで終端となる。示されてはいないが、ＵＥは、ネットワーク側のＰＤＮゲートウェイ１１８において終端となるネットワークレイヤ（例えば、ＩＰレイヤ）と、接続の他端（例えば、遠端のＵＥ、サーバ、等）において終端となるアプリケーションレイヤとを含む、Ｌ２レイヤ５０８より上位のいくつかの上位レイヤを有しうる。
【００３５】
[0053]  ＰＤＣＰサブレイヤ５１４は、異なる無線ベアラと論理チャネルとの間での多重化を提供する。ＰＤＣＰサブレイヤ５１４はまた、無線送信のオーバーヘッドを減らすための上位レイヤのデータパケットのヘッダ圧縮、データパケットを暗号化することによるセキュリティ、およびｅノードＢ間でのＵＥのためのハンドオーバサポートを提供する。ＲＬＣサブレイヤ５１２は、上位レイヤデータパケットのセグメンテーションとリアセンブリ、損失データパケットの再送、およびハイブリッド自動再送要求（ＨＡＲＱ）により順序が乱れた受信を補償するためのデータパケットの並べ替え（reordering）を提供する。ＭＡＣサブレイヤ５１０は、論理チャネルとトランスポートチャネルとの間の多重化を提供する。ＭＡＣサブレイヤ５１０は、複数のＵＥの間で１つのセルにおける様々な無線リソース（例えば、リソースブロック）を割り振ることも担う。ＭＡＣサブレイヤ５１０は、ＨＡＲＱ動作も担う。
【００３６】
[0054]  制御プレーンで、ＵＥおよびｅノードＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）に無線リソース制御（ＲＲＣ）サブレイヤ５１６を含む。ＲＲＣサブレイヤ５１６は、無線リソース（すなわち、無線ベアラ）を取得すること、およびｅノードＢとＵＥとの間でのＲＲＣシグナリングを使用して下位レイヤを構成することを担う。
【００３７】
[0055]  図６は、アクセスネットワークにおいてＵＥ６５０と通信状態にあるｅノードＢ６１０のブロック図である。ダウンリンクでは、コアネットワークからの上位レイヤパケットが、コントローラ／プロセッサ６７５に提供される。コントローラ／プロセッサ６７５は、Ｌ２レイヤの機能性を実現する。ダウンリンクでは、コントローラ／プロセッサ６７５が、ヘッダ圧縮、暗号化、パケットセグメンテーションと並び替え、論理チャネルとトランスポートチャネルとの間での多重化、および様々な優先順位メトリックに基づいたＵＥ６５０への無線リソース割振りを提供する。コントローラ／プロセッサ６７５は、ＨＡＲＱ動作、損失パケットの再送、ＵＥ６５０へのシグナリングも担う。
【００３８】
[0056]  ＴＸプロセッサ６１６は、Ｌ１レイヤ（すなわち、物理レイヤ）のための様々な信号処理機能を実現する。信号処理機能は、ＵＥ６５０における順方向誤り訂正（ＦＥＣ）を容易にするためにコーディングおよびインターリーブすることと、様々な変調スキーム（例えば、二位相偏移変調（ＢＰＳＫ）、直交位相偏移変調（ＱＰＳＫ）、Ｍ相位偏移変調（Ｍ−ＰＳＫ）、Ｍ値直交振幅変調（Ｍ−ＱＡＭ））に基づいて信号コンステレーションにマッピングすることとを含む。次いで、コーディングおよび変調されたシンボルは、並行した複数のストリームへと分けられる。次いで、各ストリームは、ＯＦＤＭサブキャリアにマッピングされ、時間ドメインおよび／または周波数ドメインにおいて基準信号（例えば、パイロット）と多重化され、次いで、逆高速フーリエ変換（ＩＦＦＴ）を使用して組み合わせられて、時間ドメインのＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値が、コーディングおよび変調スキームを決定するため、並びに空間処理のために使用されうる。チャネル推定値は、ＵＥ６５０によって送信されたチャネル条件フィードバックおよび／または基準信号から導出されうる。次いで、各空間ストリームが、別個の送信機６１８ＴＸを介して異なるアンテナ６２０に提供される。各送信機６１８ＴＸは、送信のために、それぞれの空間ストリームを用いてＲＦキャリアを変調する。
【００３９】
[0057]  ＵＥ６５０において、各受信機６５４ＲＸは、それのそれぞれのアンテナ６５２を通じて信号を受信する。各受信機６５４ＲＸは、ＲＦキャリア上に変調された情報を復元し、受信（ＲＸ）プロセッサ６５６にその情報を提供する。ＲＸプロセッサ６５６は、Ｌ１レイヤの様々な信号処理機能を実現する。ＲＸプロセッサ６５６は、その情報に対して空間処理を行い、ＵＥ６５０に宛てられた任意の空間ストリームを復元する。複数の空間ストリームがＵＥ６５０に宛てられている場合、それらは、ＲＸプロセッサ６５６によって、単一のＯＦＤＭシンボルストリームへと組み合わせられうる。次いで、ＲＸプロセッサ６５６は、高速フーリエ変換（ＦＦＴ）を使用して、ＯＦＤＭシンボルストリームを時間ドメインから周波数ドメインに変換する。周波数ドメインの信号は、ＯＦＤＭ信号のサブキャリアごとに別個のＯＦＤＭシンボルストリームを備える。各々のサブキャリア上のシンボル、および基準信号は、ｅノードＢ６１０によって送信された最も可能性の高い信号コンステレーションポイントを決定することによって、復元および復調される。これらの軟判定は、チャネル推定器６５８によって計算されたチャネル推定値に基づきうる。次いで、この軟判定が復号およびデインターリーブされ、物理チャネル上でｅノードＢ６１０によって最初に（originally）送信されたデータおよび制御信号が復元される。次いで、データおよび制御信号が、コントローラ／プロセッサ６５９に提供される。
【００４０】
[0058]  コントローラ／プロセッサ６５９は、Ｌ２レイヤを実現する。コントローラ／プロセッサは、プログラムコードおよびデータを記憶するメモリ６６０に関連付けられうる。メモリ６６０はコンピュータ可読媒体とも呼ばれうる。アップリンクでは、制御／プロセッサ６５９が、トランスポートチャネルと論理チャネルとの間での逆多重化、パケットのリアセンブリ、暗号解読、ヘッダ圧縮解除、制御信号処理を提供して、コアネットワークからの上位レイヤのパケットを復元する。次いで、上位レイヤのパケットは、Ｌ２レイヤより上位のすべてのプロトコルレイヤを表すデータシンク６６２に提供される。様々な制御信号もまた、Ｌ３処理のために、データシンク６６２に提供されうる。コントローラ／プロセッサ６５９は、ＨＡＲＱ動作をサポートするために、肯定応答（ＡＣＫ）および／または否定応答（ＮＡＣＫ）プロトコルを使用した誤り検出も担う。
【００４１】
[0059]  アップリンクでは、上位レイヤのパケットをコントローラ／プロセッサ６５９に提供するために、データソース６６７が使用される。データソース６６７は、Ｌ２レイヤより上位のすべてのプロトコルレイヤを表す。ｅノードＢ６１０によるダウンリンク送信に関連して説明された機能性と同様に、コントローラ／プロセッサ６５９は、ｅノードＢ６１０による無線リソース割振りに基づいて、ヘッダ圧縮、暗号化、パケットのセグメンテーションと並び替え、および論理チャネルとトランスポートチャネルとの間での多重化を提供することによって、ユーザプレーンおよび制御プレーンのためのＬ２レイヤを実現する。コントローラ／プロセッサ６５９は、ＨＡＲＱ動作、損失パケットの再送、ｅノードＢ６１０へのシグナリングも担う。
【００４２】
[0060]  ｅノードＢ６１０によって送信されたフィードバックまたは基準信号からチャネル推定器６５８によって導出されたチャネル推定値は、適切なコーディングおよび変調スキームを選択するため、および空間処理を容易にするために、ＴＸプロセッサ６６８によって使用されうる。ＴＸプロセッサ６６８によって生成される空間ストリームは、別個の送信機６５４ＴＸを介して異なるアンテナ６５２に提供される。各送信機６５４ＴＸは、送信のために、それぞれの空間ストリームを用いてＲＦキャリアを変調する。
【００４３】
[0061]  アップリンク送信は、ＵＥ６５０における受信機機能に関連して説明された手法と同様の手法で、ｅノードＢ６１０において処理される。各受信機６１８ＲＸは、それのそれぞれのアンテナ６２０を通して信号を受信する。各受信機６１８ＲＸは、ＲＦキャリア上に変調された情報を復元し、その情報をＲＸプロセッサ６７０に提供する。ＲＸプロセッサ６７０はＬ１レイヤを実現しうる。
【００４４】
[0062]  コントローラ／プロセッサ６７５は、Ｌ２レイヤを実現する。コントローラ／プロセッサ６７５は、プログラムコードおよびデータを記憶するメモリ６７６に関連付けられうる。メモリ６７６はコンピュータ可読媒体とも呼ばれうる。アップリンクでは、制御／プロセッサ６７５が、トランスポートチャネルと論理チャネルとの間での逆多重化、パケットのリアセンブリ、暗号解読、ヘッダ圧縮解除、制御信号処理を提供して、ＵＥ６５０からの上位レイヤのパケットを復元する。コントローラ／プロセッサ６７５からの上位レイヤのパケットは、コアネットワークに提供されうる。コントローラ／プロセッサ６７５は、ＨＡＲＱ動作をサポートするために、ＡＣＫおよび／またはＮＡＣＫプロトコルを使用した誤り検出も担う。
キャリアアグリゲーション
[0063]  ＬＴＥ−アドバンスドのＵＥは、キャリアアグリゲーション（ＣＡ）を使用するシステムにおいてスペクトルの２０Ｍｈｚ帯域幅が割り振られうる。一般に、ダウンリンクトラフィックに比べて、アップリンクトラフィックは少ない。したがって、アップリンクスペクトル割振りは、ダウンリンク割振りよりも少ないであろう。例えば、２０Ｍｈｚがアップリンクに割り当てられる場合、ダウンリンクは、１００Ｍｈｚが割り当てられうる。非対称周波数分割複信割当ては、スペクトルを節約し得、ブロードバンドサブキャリアによって使用される従来の非対称帯域幅に望ましいだろう。
【００４５】
[0064]  ＬＴＥアドバンスドのモバイルシステムについては、連続的なキャリアアグリゲーションおよび非連続的なキャリアアグリゲーションという２つのタイプのキャリアアグリゲーショシステムが提案されている。図７に示されるように、互いに隣接した複数の利用可能なコンポーネントキャリアは、連続的なコンポーネントキャリアと呼ばれる。代替的に、図８に示されるように、周波数帯域に沿って分離している複数の利用可能なコンポーネントキャリアは、非連続的なコンポーネントキャリアと呼ばれる。非連続的および連続的なキャリアアグリゲーションシステムの両方が、複数のコンポーネントキャリアをアグリゲートして、単体（single  unit）のＬＴＥアドバンスドＵＥにサービスする。
【００４６】
[0065]  非連続的なキャリアアグリゲーションの場合、キャリアが周波数帯域に沿って分離しているため、複数の無線周波数受信ユニットが配備されうる。さらに、非連続的なキャリアアグリゲーションが、増加周波数範囲にわたる複数の分離したキャリアを通してデータ送信をサポートするため、伝搬経路損失、ドップラシフト、および他の無線チャネル特性は、周波数帯域によって異なりうる。
【００４７】
[0066]  ゆえに、非連続的なキャリアアグリゲーションのためのブロードバンドデータ送信をサポートするために、異なるコンポーネントキャリアのためのコーディング、変調、および伝送電力が、適応的に調整されうる。例えば、発展型ノードＢ（ｅノードＢ）が各コンポーネントキャリアに対して固定の伝送電力を有するＬＴＥアドバンスドシステムでは、各コンポーネントキャリアのサポート可能な変調およびコーディングまたはカバレッジが異なりうる。
【００４８】
[0067]  図９は、ＩＭＴアドバンスドシステムについて、媒体アクセス制御（ＭＡＣ）レイヤ（図５）において異なるコンポーネントキャリアからの送信ブロック（ＴＢ）をアグリゲートすることを例示する。ＭＡＣレイヤのデータアグリゲーションの場合、各コンポーネントキャリアは、ＭＡＣレイヤにおいて独立したハイブリッド自動再送要求（ＨＡＲＱ）エンティティを、物理レイヤにおいて送信構成パラメータ（例えば、伝送電力、変調およびコーディングスキーム、および複数のアンテナ構成）を有する。同様に、物理レイヤでは、１つのＨＡＲＱエンティティが、各コンポーネントキャリアに対して提供される。
【００４９】
[0068]  図１０は、拡張ＰＤＣＣＨ（ＥＰＤＣＣＨ：enhanced PDCCH）のような様々な拡張制御チャネル構造（enhanced control channel structure）を例示する。例として、拡張制御チャネル構造は、リレー制御チャネル（Ｒ−ＰＤＣＣＨ）構造と同じでありうる。代替的に、拡張制御チャネルは、ピュア周波数分割多重化（ＦＤＭ）でありうる。オプション的に、代替的な構造では、拡張制御チャネル構造が、すべて時分割多重化（ＴＤＭ）でありうる。代替的に、拡張制御チャネルは、リレー制御チャネルと類似しうるが、同じではない。別の代替的な構造では、拡張制御チャネルが、時分割多重化と周波数分割多重化を組み合わせうる。
多地点協調（ＣｏＭＰ）
[0069]  リリース１１では、多地点協調（ＣｏＭＰ）送信スキームがサポートされる。ＣｏＭＰは、複数の基地局が、１つまたは複数のＵＥへの送信（ダウンリンクＣｏＭＰ）またはそれからの受信（アップリンクＣｏＭＰ）を協調するスキームを指す。ダウンリンクＣｏＭＰおよびアップリンクＣｏＭＰは、ＵＥについて別個にまたは共同で（jointly）使用可能でありうる。ＣｏＭＰスキームの例には、ジョイント送信、ジョイント受信、協調ビームフォーミング、および動的ポイント選択（ＤＰＳ）が含まれる。ジョイント送信（ＤＬ ＣｏＭＰ）の場合、複数のｅノードＢが、ＵＥのために同じデータを送信する。ジョイント受信（ＵＬ ＣｏＭＰ）の場合、複数のｅノードＢが、ＵＥから同じデータを受信する。協調ビームフォーミングは、ｅノードＢが、隣接セル中のＵＥへの干渉を低減させるように選定されたビームを使用してＵＥに送信することを指す。動的ポイント（１つまたは複数）選択（ＤＰＳ）は、フレームごとに変化するセル（１つまたは複数）のデータ送信を指す。
【００５０】
[0070]  ＣｏＭＰは、同種ネットワークおよび／または異種ネットワーク（HetNet）内に存在しうる。ノード間の接続は、Ｘ２（いくらかの待ち時間、限られた帯域幅）でありうるうかまたはファイバ（最小待ち時間および「無制限の」帯域幅）でありうる。異種ネットワークＣｏＭＰでは、低電力ノードが、マイクロセル、スモールセル、ピコセル、フェムトセル、リレーノード、および／またはリモート無線ヘッド（ＲＲＨ）と呼ばれうる。
【００５１】
[0071]  図１１に例示されるように、ＣｏＭＰは、異種デプロイメントおよび同種デプロイメントを含む、様々なデプロイメントシナリオで使用されうる。例えば、ＣｏＭＰは、同じマクロサイトのセルにわたって使用されうる。このシナリオ（Ｓｃｎ−１）は、協調エリアが同じマクロサイト内にあるため、ｅＮＢ内ＣｏＭＰと呼ばれうる。別の例として、ＣｏＭＰは、隣接マクロサイトにわたって使用されうる。このシナリオ（Ｓｃｎ−２）は、協調エリアが隣接マクロサイトにまたがるため、ｅＮＢ間ＣｏＭＰと呼ばれうる。異種ネットワークでは、ＣｏＭＰが、マクロセルおよびピコセル／リモート無線ヘッド（ＲＲＨ）にわたって使用されうる。異種ネットワークの１つのシナリオ（Ｓｃｎ−３）では、マクロセルおよびピコセル／ＲＲＨが、異なるセルＩＤまたは物理セルＩＤ（ＰＣＩ）で構成される。したがって、Ｓｃｎ−３では、マクロセルが、制御チャネルおよびデータチャネルを第１のＵＥ（ＵＥ１）に送信し得、ＲＲＣが制御チャネルおよびデータチャネルをそのカバレッジエリア内の第２のＵＥ（ＵＥ２）に送信しうる。異種ネットワークの別のシナリオ（Ｓｎｃ−４）では、マクロセルおよびピコセル／ＲＲＨが、同じセルＩＤまたはＰＣＩで構成される。このように、マクロセルおよびＲＲＨは、ＵＥ１とＵＥ２の両方に共通制御チャネルを送信しうる。代替的に、マクロが、データチャネルをＵＥ１に送信し得、ＲＲＨが、データチャネルをＵＥ２に送信しうる。同じセルＩＤで構成されたマクロセルおよびピコセルにわたるＣｏＭＰの使用は、セル固有基準信号によるセル間干渉を低減させうる。様々なシナリオでは、ＵＥが、ＣｏＭＰ動作のために１つまたは複数の仮想ＣｏＭＰセルで構成されうる。
ネットワーク支援型干渉キャンセレーション／干渉抑制（ＮＡＩＣ）
[0072]  データチャネルおよび／または制御チャネルの場合、様々な同一チャネルセル間干渉状態およびセル内干渉状態を経験しうる。いくつかのケースでは、セル内干渉が、シングルユーザ多入力多出力（ＳＵ−ＭＩＭＯ）およびマルチユーザＭＩＭＯ（ＭＵ−ＭＩＭＯ）動作に起因する。追加的に、セル間干渉は、スモールセルデプロイメントのような、ＬＴＥリリース１１で規定されているデプロイメントシナリオに基づきうる。追加的に、同種ネットワークおよび異種ネットワークから、同一チャネル干渉シナリオを経験しうる。
クアジコロケーション
[0073]  ＣｏＭＰ動作がネットワークに対して指定されると、ＵＥは、信号が同じサイトから送信されると想定しうる。いくつかのケースでは、共有チャネルおよび／または拡張制御送信のための発信源（例えば、アクセスポイント）をＵＥに知らせることが望まれうる。一構成では、クアジコロケーション（ＱＣＬ）が、共有チャネル送信および／または拡張チャネル送信の発信源をＵＥに知らせるときにアンテナポート透明性を保持するように指定される。２つのアンテナポートは、第１のアンテナポートを介したシンボル送信の伝搬プロパティが、第２のアンテナポートを介した別のシンボル送信から推論可能な場合、クアジコロケート（quasi-co-located）されている。パラメータの例には、遅延拡散、ドップラ拡散、周波数シフト、平均受信電力、および／または受信タイミングが含まれうるがそれらに限定されるわけではない。いくつかのケースでは、クアジコロケーションが、これらのパラメータのサブセットに適用されうる。これらのパラメータが大規模（large scale）パラメータと呼ばれうることに留意されたい。
【００５２】
[0074]  図１２は、本開示の態様に係る、例となる動作を例示する。一構成では、ＵＥが、動的ポイント選択ＣｏＭＰをサポートする、３つの異なるアクセスポイント（例えば、第１のアクセスポイント、第２のアクセスポイント、および第３のアクセスポイント）からの３つのチャネル状態情報−基準信号（ＣＳＩ−ＲＳ）リソースで構成される。結果として、ＵＥは、ＣＳＩ−ＲＳリソースに基づいてＣＳＩフィードバックを第１のアクセスポイント、第２のアクセスポイント、および／または第３のアクセスポイントに提供しうる。共有チャネルのためのダウンリンク制御情報（ＤＣＩ）スケジューリングを受信すると、向上した復調性能のために、ＵＥには、共有チャネル復調基準信号とクアジコロケートされたＣＳＩ−ＲＳが知らせられる。例えば、第１のサブフレームｎでは、共有チャネル復調基準信号送信が、第１のアクセスポイントからの第１のＣＳＩ−ＲＳリソースとアラインされ(aligned)うる。さらに、第２のサブフレームｎ＋１では、共有チャネル復調基準信号送信が、第２のアクセスポイントからの第２のＣＳＩ−ＲＳリソースとアラインされうる。
【００５３】
[0075]  クアジコロケーション（ＱＣＬ）プロパティは、同じ基準信号（ＲＳ）タイプでのクアジコロケーションと、異なる基準信号タイプでのクアジコロケーションとの間で異なりうる。基準信号タイプの例には、非ゼロ電力（ＮＺＰ）チャネル状態情報基準信号、共通基準信号、拡張物理ダウンリンク制御チャネル復調基準信号、および／または物理ダウンリンク共有チャネル復調基準信号が含まれるがそれらに限定されるわけではない。
【００５４】
[0076]  非ゼロ電力チャネル状態情報基準信号リソース内でのクアジコロケーションの場合、ポートは、遅延拡散、受信電力、周波数シフト、ドップラ拡散、および／または受信タイミングのためにクアジコロケートされうる。追加的に、共通基準信号内でのクアジコロケーションの場合、ポートは、遅延拡散、受信電力、周波数シフト、ドップラ拡散、および／または受信タイミングといった様々なチャネルプロパティのためにクアジコロケートされうる。さらに、復調基準信号内でのクアジコロケーションの場合、制御チャネルまたは共通チャネルのためのポートは、遅延拡散、受信電力、周波数シフト、ドップラ拡散、および／または受信タイミングのためにサブフレーム内でクアジコロケートされうる。
【００５５】
[0077]  追加的に、一構成では、異なる基準信号タイプにわたるクアジコロケーション挙動が指定される。一構成では、クアジコロケーションが、一次同期信号、二次同期信号（ＰＳＳ／ＳＳＳ）および共通基準信号にわたって拡散される。この構成では、サービングセルのためのＰＳＳ／ＳＳＳおよび共通基準信号ポートが、周波数シフトおよび／または受信タイミングのためにクアジコロケートされうる。
【００５６】
[0078]  追加的に、別の構成では、クアジコロケーションが、共有チャネル復調基準信号、制御チャネル復調基準信号、チャネル状態情報基準信号、および共通基準信号にわたって拡散される。この構成では、レガシシステムおよびＣｏＭＰシステムの両方が考慮される。レガシシステムの場合、共通基準信号、チャネル状態情報基準信号、制御チャネル復調基準信号、および共有チャネル復調基準信号は、周波数シフト、ドップラ拡散、受信タイミング、および／または遅延拡散のためにクアジコロケートされうる。
【００５７】
[0079]  代替的に、ＣｏＭＰシステムの場合、共通基準信号、チャネル状態情報基準信号、制御チャネル復調基準信号、および共有チャネル復調基準信号は、クアジコロケートされているとはみなされない。この構成では、例外として、共有チャネル復調基準信号および特定チャネル状態情報基準信号リソースが、遅延拡散、ドップラ拡散、ドップラシフト、および／または平均遅延のためクアジコロケートされうる。この構成では、特定チャネル状態情報基準信号が、物理レイヤシグナリングによって示される。さらに、本構成は、シグナリングされた非ゼロ電力チャネル状態情報基準信号リソースに基づいた時間追跡を容易にする。
【００５８】
[0080]  さらに、本構成では、別の例外として、チャネル状態情報基準信号リソースごとに、ネットワークが、ドップラシフトおよびドップラ拡散に関してクアジコロケートされた、セルのチャネル状態情報基準信号ポートおよび共通基準信号ポートをＲＲＣシグナリングによって示す。この構成では、周波数追跡が、チャネル状態情報基準信号だけを用いる周波数追跡と比べて、容易にされ得、そして改善されうる。
【００５９】
[0081]  図１３は、ＣｏＭＰシステムにおいて異なる基準信号タイプにわたるクアジコロケーションのためのフロー図を例示する。一構成では、図１３で示されるように、ブロック１３０２において、ＵＥが、ダウンリンク制御情報（ＤＣＩ）フォーマット２Ｄで２ビット情報フィールドを受信する。ＤＣＩフォーマット２Ｄにおける共有チャネルレート整合およびクアジコロケーションインジケーション（ＰＱＩ）ビットは、クアジコロケートされたチャネル状態情報基準信号リソースを示す。さらに、ブロック１３０４において、ＵＥは、受信されたＰＱＩから、クアジコロケートされたチャネル状態情報基準信号リソースを決定する。各チャネル状態情報基準信号リソースは、共通基準信号に関連付けられる。最後に、ブロック１３０６において、ＵＥは、クアジコロケートされた共通基準信号を決定する。
【００６０】
[0082]  図１４−１６は、様々なデプロイメントシナリオの例を例示する。例えば、図１４は、屋外に配置されたマクロセルを、同様に屋外に配置されているスモールセルクラスタとともに含む１つのレイヤデプロイメントシナリオを例示する。バックホールリンクが、マクロセルとスモールセルクラスタとの間で指定される。追加的に、別のバックホールリンクが、スモールセルクラスタに対して指定される。この例では、ＵＥが、屋外および／または屋内にありうる。
【００６１】
[0083]  図１５Ａおよび１５Ｂは、キャリアＦ１を使用するマクロセルおよびキャリアＦ２を使用するスモールセルクラスタのような複数のキャリアの例を例示する。具体的には、図１５Ａは、屋外に配置されたマクロセルを、スモールセルクラスタとともに例示する。バックホールリンクが、マクロセルとスモールセルクラスタとの間で指定される。別のバックホールリンクが、スモールセルクラスタに対して指定される。
【００６２】
[0084]  図１５Ｂは、屋外に配置されたマクロセルと、屋内に配置されたスモールクラスタセルとを例示する。バックホールリンクが、マクロセルとスモールセルクラスタとの間で指定される。追加的に、別のバックホールリンクが、スモールセルクラスタ内で指定される。図１５Ａおよび１５Ｂの両方について、ＵＥは、屋外および／または屋内に分散される。
【００６３】
[0085]  図１６は、マクロセルのない例示的なデプロイメントを例示する。スモールセルクラスタは、そのクラスタに対して指定されたバックホールリンクを伴って屋内に配置される。スモールセルクラスタは、キャリアＦ１またはキャリアＦ２を使用しうる。ＵＥは、屋外および屋内の両方に分散される。
【００６４】
[0086]  本開示の一態様は、ＣｏＭＰ ＵＥについて、ネットワーク支援型干渉キャンセレーション（ＮＡＩＣ）を管理することを対象とする。具体的には、ＣｏＭＰ ＵＥは、共有チャネルレート整合およびクアジコロケーション動作に関するパラメータの複数のセットのパラメータの１つのセットを示すＤＣＩフォーマットで動的に構成されうる。上述したように、ＤＣＩフォーマット２Ｄは、ＰＱＩフィールドのような２ビット情報フィールドを含みうる。２ビット情報フィールドは、共有チャネルレート整合に関するパラメータと、クアジコロケーション動作に関するチャネル状態情報基準信号構成を動的に示す。
【００６５】
[0087]  一構成では、ＣｏＭＰ動作のためにＵＥに対して設定された(configured)１つまたは複数のＰＱＩ値に関連付けられたパラメータの１つまたは複数のセットが、ネットワーク支援型干渉キャンセレーションのために、干渉を引き起こすＵＥの特性とリンク付される。２ビットＰＱＩは、無線リソース制御設定されたパラメータ(radio resource control configured parameters)のセットに対応しうる。例として、２ビットＰＱＩは、無線リソース制御設定されたパラメータの４つのセットに対応する。ＰＱＩ動作に対して設定されたパラメータの各セットは、ネットワーク支援型干渉キャンセレーションに使用するためのパラメータのセットでありうる。ＰＱＩ値に関連付けられたパラメータのセットは、他のＵＥによって使用されうる。
【００６６】
[0088]  追加的または別々に、ＵＥに対して設定された仮想セルＩＤ（ＶＣＩ）に関連付けられたパラメータの１つまたは複数のセットは、ネットワーク支援型干渉キャンセレーションのためにリンク付されうる。一構成では、ＣｏＭＰ ＵＥのための１つまたは複数の仮想セルＩＤが別々に示される。別の構成では、１つまたは複数の仮想セルＩＤが、１つまたは複数のＰＱＩ値とリンク付けられる。
【００６７】
[0089]  ＵＥは、ネットワーク支援型干渉キャンセレーションのために仮想セルのセットが提供されうる。各仮想セルは、例えば、仮想セルＩＤ、ＰＤＳＣＨのための開始シンボル、セル固有基準信号ポートの数、および／または、セル固有基準信号のための周波数シフトといった、パラメータのセットに関連付けられうる。仮想セルのセットは、ＰＱＩベースで提供されうる。代替的に、ＣｏＭＰ動作の場合、仮想セルは、仮想セルＩＤベースで提供されうる。
【００６８】
[0090]  一構成では、仮想セルのセットが、ＰＱＩ管理から独立している。すなわち、ＰＱＩおよび仮想セル依存型のシグナリングは、ＵＥによって受信されない。例として、ＵＥは、ネットワーク支援型干渉キャンセレーションに関する仮想セルＩＤの第１のセットと、ＣｏＭＰ動作に関するＰＱＩ状態の第２のセットとが提供される。いくつかのケースでは、ＵＥが、仮想セルＩＤの第１のセットと、ＰＱＩ状態の第２のセットとの間の相関を想定しない可能性がある。別の構成では、特定のＰＱＩ間のリンクが、仮想セルＩＤを用いて確立されうる。例として、ネットワーク支援型干渉キャンセレーションに関する仮想セルＩＤは、ＰＱＩ状態に関連付けられたパラメータのセットが、ネットワーク支援型干渉キャンセレーション／抑制に関する仮想セルＩＤに関連付けられうるように、ＰＱＩ状態にリンク付されうる。追加的に、いくつかの仮想セルＩＤは、干渉キャンセレーションおよび／または干渉抑制をバイパスするために空状態に対応しうる。パラメータは、仮想セルＩＤ、ＣＲＳポートの数、ＣＲＳシフト、および／または、ＵＥが、干渉物（interferer）を検出し、干渉キャンセレーションおよび／または干渉抑制を行うために使用される他の情報を含みうる。
【００６９】
[0091]  図１７は、本開示の一態様に係る、例示的な仮想セル構成を例示する。図１７に示されるように、各ＰＱＩ値は、仮想セルのセットに関連付けられ得、各仮想セルは、ネットワーク支援型干渉キャンセレーションのためのパラメータのセットにさらに関連付けられる。例えば、ＰＱＩ値００は、４つの仮想セルに関連付けられる。各仮想セル（ＶＣ１、ＶＣ２、ＶＣ３、およびＶＣ４）は、特定のパラメータセットに関連付けられる。例として、第１の仮想セル（ＶＣ１）は、パラメータセット１に関連付けられる。上述したように、パラメータセットは、仮想セルＩＤ、ＣＲＳポートの数、ＣＲＳシフト、および／または、ＵＥが、干渉物を検出し、干渉キャンセレーションおよび／または干渉抑制を行うために使用される他の情報のような情報を含みうる。
【００７０】
[0092]  さらに、図１７に示されるように、ＰＱＩ値０１の場合、最初の３つの仮想セル（ＶＣ１、ＶＣ２、およびＶＣ３）は、ＰＱＩ００、１０、および１１に関連付けられたＣｏＭＰ動作に対して設定されたパラメータに基づく。追加的に、パラメータの別のセット、パラメータセット５が、第４の仮想セル（ＶＣ４）に対して設定される。図１７に示される例では、ＰＱＩ値１１の場合、第４の仮想セルが空である。第４の仮想セルが空であるため、ＵＥは、３つだけの仮想セル（ＶＣ１、ＶＣ２、およびＶＣ３）からの干渉を検出し、それらをキャンセルおよび／または抑制しようと試みる。
【００７１】
[0093]  さらに、図１７に示されるように、そのパラメータセット５は、ＰＱＩ値１１の第３の仮想セル（ＶＣ３）、および、ＰＱＩ値０１の第４の仮想セル（ＶＣ４）に対して設定される(configured)。図１７のテーブルは一例であり、ネットワーク支援型干渉キャンセレーションに関するパラメータのセットに関連付けられた仮想セルにＰＱＩを関連付けるために他の構成が指定されうることは理解される。ゆえに、ＣｏＭＰ ＵＥは、仮想ＣｏＭＰセルおよび／またはＰＱＩに依存したネットワーク支援型干渉キャンセレーションセルのセットで構成されうる。
【００７２】
[0094]  いくつかのケースでは、サービングセルおよび／または他のセルのタイミングを決定することが望まれる。一構成では、サービングセル高速フーリエ変換（ＦＦＴ）タイミングについて、タイミングが、ＰＱＩを介して示されるパラメータに基づいて決定される。様々な態様では、タイミングが、仮想セルＩＤ、パラメータのセット、および／または、示されたＰＱＩに関連付けられた仮想セルに基づいて決定されうる。
【００７３】
[0095]  さらに、干渉抑制／キャンセレーションについて、タイミングは、設定されたＰＱＩ値のうちの１つまたは複数にわたって、アグリゲーションに基づいて決定されうる。例えば、タイミングは、すべての予想（possible）クアジコロケーションの組み合わせの平均値に基づいて決定されうる。別の構成では、タイミングが、ＰＱＩおよび仮想セルＩＤに対して設定されたすべての予想仮想セルの平均値に基づく。タイミング決定のためのセルのセットが、ＵＥに示されうる。ＰＱＩについて説明されたが、前述の構成は仮想セルＩＤにも適用されうる。
【００７４】
[0096]  本開示の別の態様は、干渉測定リソース（ＩＭＲ）使用を対象とする。すなわち、ＵＥは、干渉を推定するために、ゼロ電力のリソースエレメントを使用しうる。一構成では、ＣＳＩフィードバックのために、ＵＥが、干渉測定のための１つまたは複数の干渉測定リソースまたはトーンから観測される１つまたは複数の共有チャネル干渉物をキャンセルすることによって干渉を推定する。前述された１つまたは複数の共有チャネル干渉物のキャンセルは、ネットワーク支援型干渉キャンセレーションを反映する干渉推定を改善しうる。さらに、１つまたは複数の共有チャネル干渉物のキャンセルは、制限された数の干渉測定リソースエレメントを使用して干渉キャンセレーションを行うことの信頼度に依存する。
【００７５】
[0097]  別の構成では、ＣＳＩフィードバックについて、２つ以上の干渉測定リソースが、異なる干渉物からの観測された干渉間の差分を決定するために使用される。ＣＳＩが、この差分に基づいて報告される。例えば、第１の干渉測定リソースは、強い干渉物を観測し、第２の干渉測定リソースは、最も強い干渉物は観測しない（例えば、最も強い干渉物においてゼロ電力チャネル状態情報基準信号を構成することによって）。この差分は、ＣＳＩフィードバックに反映されうる。第２の干渉測定リソースは、支配干渉物の改善された干渉キャンセレーションを反映しうる。
【００７６】
[0098]  図１８は、ワイヤレス通信のための方法１８００を例示する。ブロック１８０２で、ＵＥはＶＣＩを識別する。ブロック１８０４で、ＵＥは、識別されたＶＣＩに基づいて１つまたは複数の仮想セルを決定する。１つまたは複数の仮想セルの各々は、１つまたは複数のパラメータに関連付けられる。各仮想セルに関する１つまたは複数のパラメータは、セル識別情報、セル固有基準信号のためのポートの数、セル固有基準信号の周波数シフト、復調基準信号、データチャネルまたは制御チャネルに関する変調次数、および／または１つまたは複数のチャネル状態情報基準信号構成を含みうる。ＵＥは、そのような情報を使用して、干渉物を検出し、干渉キャンセレーション／干渉抑制を行いうる。次に、ブロック１８０６で、ＵＥは、決定に基づいて、１つまたは複数のチャネルを処理する。チャネル（１つまたは複数）は、データチャネルまたは制御チャネルでありうる。
【００７７】
[0099]  一構成では、ＵＥ６５０が、ワイヤレス通信のために構成され、識別するための手段を含む。本開示の一態様では、識別する手段が、識別する手段によって示された機能を行うように構成された、アンテナ６５２、受信機６５４、ＲＸプロセッサ６５６、コントローラ／プロセッサ６５９、受信モジュール１９０２、および／またはメモリ６６０でありうる。ＵＥ６５０はまた、決定するための手段を含むように構成される。本開示の一態様では、決定する手段が、決定する手段によって示された機能を行うように構成されたコントローラ／プロセッサ６５９、決定モジュール１９０４、および／またはメモリ６６０でありうる。ＵＥ６５０はまた、処理するための手段を含むように構成される。本開示の一態様では、処理する手段が、処理する手段によって示された機能を行うように構成されたコントローラ／プロセッサ６５９、処理モジュール１９０６、および／またはメモリ６６０でありうる。別の態様では、前述の手段が、これら前述の手段によって示された機能を行うように構成された任意のモジュールまたは任意の装置でありうる。
【００７８】
[00100]  図１９は、処理システム１９１４を用いる装置１９００のためのハードウェア実現の例を例示する図である。処理システム１９１４は、概してバス１９２４によって表されるバスアーキテクチャを用いて実現されうる。バス１９２４は、処理システム１９１４の特定の用途と設計制約全体に依存して、任意の数の相互接続バスおよびブリッジを含みうる。バス１９２４は、プロセッサ１９２２、モジュール１９０２、１９０４、１９０６、およびコンピュータ可読媒体１９２６で表される、１つまたは複数のプロセッサおよび／またはハードウェアモジュールを含む様々な回路を互いにリンクさせる。バス１９２４はまた、タイミングソース、周辺機器、電圧レギュレータ、および電力管理回路のような様々な他の回路をリンクさせることができるが、これらは、当技術分野では周知であるためこれ以上説明されないはずである。
【００７９】
[00101]  装置は、トランシーバ１９３０に結合された処理システム１９１４を含む。トランシーバ１９３０は、１つまたは複数のアンテナ１９２０に結合される。トランシーバ１９３０は、伝送媒体を通して様々な他の装置と通信することを可能にする。処理システム１９１４は、コンピュータ可読媒体１９２６に結合されたプロセッサ１９２２を含む。プロセッサ１９２２は、コンピュータ可読媒体１９２６に記憶されたソフトウェアの実行を含む、汎用処理を担う。ソフトウェアは、プロセッサ１９２２によって実行されると、任意の特定の装置について説明された様々な機能を行うことを処理システム１９１４に行わせる。コンピュータ可読媒体１９２６はまた、ソフトウェアを実行するときにプロセッサ１９２２によって操作されるデータを記憶するために使用されうる。
【００８０】
[00102]  処理システム１９１４は、第１の仮想セル識別情報を識別するための識別モジュール１９０２を含む。処理システム１９１４はまた、１つまたは複数の仮想セルを決定するための決定モジュール１９０４を含む。処理システム１９１４は、１つまたは複数のチャネルを処理するための処理モジュール１９０６をさらに含みうる。これらモジュールは、プロセッサ１９２２で稼働しており、コンピュータ可読媒体１９２６に存在する／記憶されたソフトウェアモジュールであるか、プロセッサ１９２２に結合された１つまたは複数のハードウェアモジュールであるか、またはそれらの何らかの組み合わせでありうる。処理システム１９１４は、ＵＥ６５０の構成要素でありうる。
【００８１】
[00103]  図２０Ａは、ワイヤレス通信のための方法２００１を例示する。ブロック２０１０で、１つまたは複数の干渉測定リソース（ＩＭＲ）からのデータチャネル干渉物がキャンセルされる。ブロック２０１２で、キャンセルの後、干渉が推定される。次に、ブロック２０１４で、推定された干渉が報告される。
【００８２】
[00104]  図２０Ｂは、ワイヤレス通信のための方法２００２を例示する。ブロック２０２０で、複数の干渉測定リソース（ＩＭＲ）間の観測された干渉における差分が決定される。ブロック２０２２で、決定された差分に基づくチャネル状態情報（ＣＳＩ）が報告される。
【００８３】
[00105]  一構成では、ＵＥ６５０が、ワイヤレス通信のために構成され(configured)、キャンセルするための手段を含む。本開示の一態様では、キャンセルする手段が、キャンセルする手段によって示された機能を行うように構成されたコントローラ／プロセッサ６５９、受信プロセッサ６５６、および／またはメモリ６６０でありうる。ＵＥ６５０はまた、推定するための手段を含むように構成される。本開示の一態様では、推定する手段が、推定する手段によって示された機能を行うように構成されたコントローラ／プロセッサ６５９、受信プロセッサ６５６、および／またはメモリ６６０でありうる。ＵＥ６５０はまた、報告するための手段を含むように構成される。本開示の一態様では、報告する手段が、報告する手段によって示された機能を行うように構成されたコントローラ／プロセッサ６５９、アンテナ６５２、送信プロセッサ６６８、および／またはメモリ６６０でありうる。本開示の別の態様では、前述の手段が、これら前述の手段によって示された機能を行うように構成された任意のモジュールまたは任意の装置でありうる。
【００８４】
[00106]  図２１は、処理システム２１１４を用いる装置２１００のためのハードウェア実現の例を例示する図である。処理システム２１１４は、概してバス２１２４によって表されるバスアーキテクチャを用いて実現されうる。バス２１２４は、処理システム２１１４の特定の用途と設計制約全体に依存して、任意の数の相互接続バスおよびブリッジを含みうる。バス２１２４は、プロセッサ２１２２、モジュール２１０２、２１０４、およびコンピュータ可読媒体２１２６で表される、１つまたは複数のプロセッサおよび／またはハードウェアモジュールを含む様々な回路を互いにリンクさせる。バス２１２４はまた、タイミングソース、周辺機器、電圧レギュレータ、および電力管理回路のような様々な他の回路をリンクさせることができるが、これらは、当技術分野では周知であるためこれ以上説明されないはずである。
【００８５】
[00107]  装置は、トランシーバ２１３０に結合された処理システム２１１４を含む。トランシーバ２１３０は、１つまたは複数のアンテナ２１２０に結合される。トランシーバ２１３０は、伝送媒体を通して様々な他の装置と通信することを可能にする。処理システム２１１４は、コンピュータ可読媒体２１２６に結合されたプロセッサ２１２２を含む。プロセッサ２１２２は、コンピュータ可読媒体２１２６に記憶されたソフトウェアの実行を含む、汎用処理を担う。ソフトウェアは、プロセッサ２１２２によって実行されると、任意の特定の装置について説明された様々な機能を行うことを処理システム２１１４に行わせる。コンピュータ可読媒体２１２６はまた、ソフトウェアを実行するときにプロセッサ２１２２によって操作されるデータを記憶するために使用されうる。
【００８６】
[00108]  処理システム２１１４は、２つ以上の干渉測定リソースの観測された干渉における差分を決定するための決定モジュール２１０２を含む。処理システム２１１４は、決定された差分に基づいてチャネル状態情報を報告するための報告モジュール２１０４をさらに含みうる。これらモジュールは、プロセッサ２１２２で稼働しており、コンピュータ可読媒体２１２６に存在する／記憶されたソフトウェアモジュールであるか、プロセッサ２１２２に結合された１つまたは複数のハードウェアモジュールであるか、またはそれらの何らかの組み合わせでありうる。処理システム２１１４は、ＵＥ６５０の構成要素でありうる。
【００８７】
[00109]  一構成では、ＵＥ６５０が、ワイヤレス通信のために構成され、決定するための手段を含む。本開示の一態様では、決定する手段が、決定する手段によって示された機能を行うように構成されたコントローラ／プロセッサ６５９、メモリ６６０、受信プロセッサ６５６、および／または決定モジュール２１０２でありうる。ＵＥ６５０はまた、報告するための手段を含むように構成される。本開示の一態様では、報告する手段が、報告する手段によって示された機能を行うように構成されたコントローラ／プロセッサ６５９、メモリ６６０、アンテナ６５２、送信プロセッサ６６８、および／または報告モジュール２１０４でありうる。本開示の別の態様では、前述の手段が、これら前述の手段によって示された機能を行うように構成された任意のモジュールまたは任意の装置でありうる。
【００８８】
[00110]  図２２は、処理システム２２１４を用いる装置２２００のためのハードウェア実現の例を例示する図である。処理システム２２１４は、概してバス２２２４によって表されるバスアーキテクチャを用いて実現されうる。バス２２２４は、処理システム２２１４の特定の用途と設計制約全体に依存して、任意の数の相互接続バスおよびブリッジを含みうる。バス２２２４は、プロセッサ２２２２、モジュール２２０２、２２０４、２２０６、およびコンピュータ可読媒体２２２６で表される、１つまたは複数のプロセッサおよび／またはハードウェアモジュールを含む様々な回路を互いにリンクさせる。バス２２２４はまた、タイミングソース、周辺機器、電圧レギュレータ、および電力管理回路のような様々な他の回路をリンクさせることができるが、これらは、当技術分野では周知であるためこれ以上説明されないはずである。
【００８９】
[00111]  装置は、トランシーバ２２３０に結合された処理システム２２１４を含む。トランシーバ２２３０は、１つまたは複数のアンテナ２２２０に結合される。トランシーバ２２３０は、伝送媒体を通して様々な他の装置と通信することを可能にする。処理システム２２１４は、コンピュータ可読媒体２２２６に結合されたプロセッサ２２２２を含む。プロセッサ２２２２は、コンピュータ可読媒体２２２６に記憶されたソフトウェアの実行を含む、汎用処理を担う。ソフトウェアは、プロセッサ２２２２によって実行されると、任意の特定の装置について説明された様々な機能を行うことを処理システム２２１４に行わせる。コンピュータ可読媒体２２２６はまた、ソフトウェアを実行するときにプロセッサ２２２２によって操作されるデータを記憶するために使用されうる。
【００９０】
[00112]  処理システム２２１４は、１つまたは複数の干渉測定リソースからのデータチャネル干渉物をキャンセルするためのキャンセルモジュール２２０２を含む。処理システム２２１４はまた、データチャネル干渉物をキャンセルした後に干渉を推定するための推定モジュール２２０４を含む。処理システム２２１４は、推定された干渉を報告するための報告モジュール２２０６をさらに含みうる。これらモジュールは、プロセッサ２２２２で稼働しており、コンピュータ可読媒体２２２６に存在する／記憶されたソフトウェアモジュールであるか、プロセッサ２２２２に結合された１つまたは複数のハードウェアモジュールであるか、またはそれらの何らかの組み合わせでありうる。処理システム２２１４は、ＵＥ６５０の構成要素でありうる。
【００９１】
[00113]  当業者は、本明細書の開示に関連して説明された実例となる様々な論理ブロック、モジュール、回路、およびアルゴリズムのステップが、電子ハードウェア、コンピュータソフトウェア、または両者の組み合わせとして実現されうることをさらに認識するであろう。このハードウェアおよびソフトウェアの互換性を明確に例示するために、実例となる様々な構成要素、ブロック、モジュール、回路、およびステップは、概ねそれらの機能性の観点から上に説明されている。そのような機能性がハードウェアとして実現されるかソフトウェアとして実現されるかは、特定の用途とシステム全体に課される設計の制約とに依存する。当業者は、説明された機能を特定の用途ごとに様々な方法で実現しうるが、このような実現の決定は、本開示の範囲からの逸脱をもたらすものとして解釈されるべきでない。
【００９２】
[00114]  本明細書の開示に関連して説明された実例となる様々な論理ブロック、モジュール、回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェア構成要素、あるいは本明細書で説明された機能を行うよう設計されたそれらの任意の組み合わせで実現されるかまたは行われうる。汎用プロセッサは、マイクロプロセッサでありうるが、代替的に、プロセッサは、任意の従来のプロセッサ、コントローラ、マイクロコントローラ、またはステートマシンでありうる。プロセッサはまた、コンピューティングデバイスの組み合わせ、例えば、ＤＳＰと、１つのマイクロプロセッサ、複数のマイクロプロセッサ、ＤＳＰコアに連結した１つまたは複数のマイクロプロセッサ、あるいはその他のそのような構成との組み合わせとして実現されうる。
【００９３】
[00115]  本明細書の開示に関連して説明されたアルゴリズムまたは方法のステップは、直接ハードウェアで、プロセッサによって実行されるソフトウェアモジュールで、または両者の組み合わせで具現化されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られているその他の形式の記憶媒体に存在しうる。例示的な記憶媒体は、プロセッサがこの記憶媒体から情報を読み取り、この記憶媒体に情報を書き込むことができるようにプロセッサに結合される。代替的に、記憶媒体は、プロセッサに一体化されうる。プロセッサおよび記憶媒体はＡＳＩＣ内に存在しうる。ＡＳＩＣはユーザ端末内に存在しうる。代替的に、プロセッサおよび記憶媒体は、ユーザ端末においてディスクリート構成要素として存在しうる。
【００９４】
[00116]  １つまたは複数の例示的な設計では、説明された機能が、ハードウェアで、ソフトウェアで、ファームウェアで、またはそれらの任意の組み合わせで実現されうる。ソフトウェアで実現される場合、それら機能は、コンピュータ可読媒体上で、１つまたは複数の命令またはコードとして記憶または送信されることができる。コンピュータ可読媒体は、ある箇所から別の箇所へのコンピュータプログラの移送を容易にする任意の媒体を含む通信媒体およびコンピュータ記憶媒体の両方を含む。記憶媒体は、汎用コンピュータまたは専用コンピュータによりアクセスされることができる任意の利用可能な媒体でありうる。限定ではなく例として、このようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、データ構造または命令の形式で所望のプログラムコード手段を記憶または搬送するために使用されることができ、かつ、汎用コンピュータまたは専用コンピュータあるいは汎用プロセッサまたは専用プロセッサによってアクセスされることができるその他の媒体を備えうる。また、任意の接続は厳密にはコンピュータ可読媒体と称されうる。例えば、ソフトウェアが、ウェブサイト、サーバ、または他のリモートソースから、同軸ケーブル、光ファイバーケーブル、ツイストペア、デジタル加入者回線（ＤＳＬ）、または赤外線、電波、およびマイクロ波のようなワイヤレス技術を使用して送信される場合、同軸ケーブル、光ファイバーケーブル、ツイストペア、ＤＳＬ、または赤外線、電波、およびマイクロ波のようなワイヤレス技術は、媒体の定義に含まれる。本明細書で使用される場合、ディスク（disk）およびディスク（disc）は、コンパクトディスク（ＣＤ）、レーザーディスク、光ディスク、デジタル多用途ディスク（ＤＶＤ）、フロッピーディスク、およびブルーレイディスクを含み、ここでディスク（disk）は通常、磁気的にデータを再生し、ディスク（disc）は、レーザーを用いて光学的にデータを再生する。上記の組み合わせもまた、コンピュータ可読媒体の範囲内に含まれるべきである。
【００９５】
[00117]  本開示の以上の説明は、当業者が本開示を実施または使用することを可能にするために提供される。本開示に対する様々な修正は当業者には容易に明らかであり、本明細書で定義された包括的な原理は、本開示の精神または範囲から逸脱することなく、他の変形に適用されうる。ゆえに、本開示は、本明細書で説明された例および設計に制限されることが意図されず、本明細書に開示された原理および新規な特徴に合致する最も広い適用範囲が与えられるべきである。
【図１】
2019195182.tif 000003
【図２】
2019195182.tif 000004
【図３】
2019195182.tif 000005
【図４】
2019195182.tif 000006
【図５】
2019195182.tif 000007
【図６】
2019195182.tif 000008
【図７】
2019195182.tif 000009
【図８】
2019195182.tif 000010
【図９】
2019195182.tif 000011
【図１０】
2019195182.tif 000012
【図１１】
2019195182.tif 000013
【図１２】
2019195182.tif 000014
【図１３】
2019195182.tif 000015
【図１４】
2019195182.tif 000016
【図１５Ａ】
2019195182.tif 000017
【図１５Ｂ】
2019195182.tif 000018
【図１６】
2019195182.tif 000019
【図１７】
2019195182.tif 000020
【図１８】
2019195182.tif 000021
【図１９】
2019195182.tif 000022
【図２０Ａ】
2019195182.tif 000023
【図２０Ｂ】
2019195182.tif 000024
【図２１】
2019195182.tif 000025
【図２２】
2019195182.tif 000026
【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器（ＵＥ）で、共有チャネルレート整合およびクアジコロケーションインジケーション（ＰＱＩ）ビットを受信することと、
前記ＵＥで、前記ＰＱＩビットからパラメータのセットを識別すること、ここにおいて、前記パラメータのセットは、セル識別情報、セル固有基準信号（ＣＲＳ）のためのポートの数、ＣＲＳの周波数シフト、チャネルに関する変調次数、チャネル状態情報基準信号（ＣＳＩ−ＲＳ）構成、またはそれらの組み合わせのうちの少なくとも１つを備える、と、
前記ＵＥで、前記パラメータのセットに関連付けられた第１の仮想セル識別情報（ＶＣＩ）を識別することと、
前記ＵＥで、前記識別された第１のＶＣＩに少なくとも部分的に基づいて少なくとも１つの第１の仮想セルを決定することと、
前記ＵＥで、前記少なくとも１つの第１の仮想セルの少なくとも１つの干渉チャネル上で干渉キャンセレーションまたは干渉抑制を実行すること、前記少なくとも１つの干渉チャネルは、前記パラメータのセットに少なくとも部分的に基づいて前記ＵＥで識別される、と
を備える方法。
【請求項２】
レート整合動作、多地点協調（ＣｏＭＰ）のためのクアジコロケーション動作、またはそれらの組み合わせに関するパラメータの前記セットを受信することをさらに備える、
請求項１に記載の方法。
【請求項３】
前記レート整合動作および前記ＣｏＭＰのためのクアジコロケーション動作は、少なくとも、物理ダウンリンク共有チャネル（ＰＤＳＣＨ）、拡張物理ダウンリンク制御チャネル（ＥＰＤＣＣＨ）、またはそれらの組み合わせのためのものである、請求項２に記載の方法。
【請求項４】
前記干渉キャンセレーションまたは干渉抑制は、少なくとも、セル間干渉、シングルユーザ多入力多出力（ＳＵ−ＭＩＭＯ）動作によるセル内干渉、マルチユーザＭＩＭＯ（ＭＵ−ＭＩＭＯ）動作によるセル内干渉、またはそれらの組み合わせについて行われる、請求項１に記載の方法。
【請求項５】
前記第１のＶＣＩとは異なる第２のＶＣＩを識別することをさらに備え、ここにおいて、少なくとも１つの第２の仮想セルは、前記識別された第２のＶＣＩに少なくとも部分的に基づいて決定される、請求項１に記載の方法。
【請求項６】
前記少なくとも１つの第２の仮想セルは、前記第１のＶＣＩに関連付けられた前記少なくとも１つの第１の仮想セルとは異なり、前記第１の仮想セルと前記第２の仮想セルとの間の差分は、少なくとも、仮想セルの数、前記少なくとも１つの第１の仮想セルに関連付けられた前記パラメータのセット、またはそれらの組み合わせを備える、
請求項５に記載の方法。
【請求項７】
前記第１のＶＣＩおよび前記第２のＶＣＩは、同じフレームにおいて識別される、
請求項５に記載の方法。
【請求項８】
前記第１のＶＣＩは、第１のサブフレームにおいて識別され、前記第２のＶＣＩは、前記第１のサブフレームとは異なる第２のサブフレームにおいて識別される、
請求項５に記載の方法。
【請求項９】
前記少なくとも１つの干渉チャネルは、データチャネルまたは制御チャネルである、
請求項１に記載の方法。
【請求項１０】
前記パラメータのセットに少なくとも部分的に基づいて干渉キャンセレーションまたは干渉抑制のためのタイミングを決定することをさらに備える、  請求項１に記載の方法。
【請求項１１】
ワイヤレス通信のためのユーザ機器（ＵＥ）であって、
メモリと、
前記メモリに結合された少なくとも１つのプロセッサと、
を備え、
前記少なくとも１つのプロセッサは、
共有チャネルレート整合およびクアジコロケーションインジケーション（ＰＱＩ）ビットを受信することと、
前記ＰＱＩビットからパラメータのセットを識別すること、ここにおいて、前記パラメータのセットは、セル識別情報、セル固有基準信号（ＣＲＳ）のためのポートの数、ＣＲＳの周波数シフト、チャネルに関する変調次数、チャネル状態情報基準信号（ＣＳＩ−ＲＳ）構成、またはそれらの組み合わせのうちの少なくとも１つを備える、と、
前記パラメータのセットに関連付けられた第１の仮想セル識別情報（ＶＣＩ）を識別することと、
前記識別された第１のＶＣＩに少なくとも部分的に基づいて少なくとも１つの第１の仮想セルを決定することと、
前記ＵＥで、前記少なくとも１つの第１の仮想セルの少なくとも１つの干渉チャネル上で干渉キャンセレーションまたは干渉抑制を実行すること、前記少なくとも１つの干渉チャネルは、前記パラメータのセットに少なくとも部分的に基づいて前記ＵＥで識別される、と
を行うように構成される、ＵＥ。
【請求項１２】
前記少なくとも１つのプロセッサは、レート整合動作、多地点協調（ＣｏＭＰ）のためのクアジコロケーション動作、またはそれらの組み合わせに関するパラメータの前記セットを受信することを行うようにさらに構成される、請求項１１に記載のＵＥ。
【請求項１３】
前記レート整合動作および前記ＣｏＭＰのためのクアジコロケーション動作は、少なくとも、物理ダウンリンク共有チャネル（ＰＤＳＣＨ）、拡張物理ダウンリンク制御チャネル（ＥＰＤＣＣＨ）、またはそれらの組み合わせのためのものである、請求項１２に記載のＵＥ。
【請求項１４】
前記干渉キャンセレーションまたは干渉抑制は、少なくとも、セル間干渉、シングルユーザ多入力多出力（ＳＵ−ＭＩＭＯ）動作によるセル内干渉、マルチユーザＭＩＭＯ（ＭＵ−ＭＩＭＯ）動作によるセル内干渉、またはそれらの組み合わせについて行われる、請求項１１に記載のＵＥ。
【請求項１５】
前記少なくとも１つのプロセッサは、前記第１のＶＣＩとは異なる第２のＶＣＩを識別することを行うようにさらに構成され、ここにおいて、少なくとも１つの第２の仮想セルは、前記識別された第２のＶＣＩに少なくとも部分的に基づいて決定される、請求項１１に記載のＵＥ。
【請求項１６】
前記少なくとも１つの第２の仮想セルは、前記第１のＶＣＩに関連付けられた前記少なくとも１つの第１の仮想セルとは異なり、前記第１の仮想セルと前記第２の仮想セルとの間の差分は、少なくとも、仮想セルの数、前記少なくとも１つの第１の仮想セルに関連付けられた前記パラメータのセット、またはそれらの組み合わせを備える、請求項１５に記載のＵＥ。
【請求項１７】
前記第１のＶＣＩおよび前記第２のＶＣＩは、同じフレームにおいて識別される、請求項１５に記載のＵＥ。
【請求項１８】
前記第１のＶＣＩは、第１のサブフレームにおいて識別され、前記第２のＶＣＩは、前記第１のサブフレームとは異なる第２のサブフレームにおいて識別される、請求項１５に記載のＵＥ。
【請求項１９】
前記少なくとも１つの干渉チャネルは、データチャネルまたは制御チャネルである、請求項１１に記載のＵＥ。
【請求項２０】
前記少なくとも１つのプロセッサは、前記パラメータのセットに少なくとも部分的に基づいて干渉キャンセレーションまたは干渉抑制のためのタイミングを決定することを行うようにさらに構成される、
請求項１１に記載のＵＥ。
【手続補正２】
【補正対象書類名】明細書
【補正対象項目名】００９５
【補正方法】変更
【補正の内容】
【００９５】
[00117]  本開示の以上の説明は、当業者が本開示を実施または使用することを可能にするために提供される。本開示に対する様々な修正は当業者には容易に明らかであり、本明細書で定義された包括的な原理は、本開示の精神または範囲から逸脱することなく、他の変形に適用されうる。ゆえに、本開示は、本明細書で説明された例および設計に制限されることが意図されず、本明細書に開示された原理および新規な特徴に合致する最も広い適用範囲が与えられるべきである。
以下に、本願出願の当初の特許請求の範囲に記載された発明を付記する。
［Ｃ１］
ワイヤレス通信の方法であって、
第１の仮想セル識別情報（ＶＣＩ）を識別することと、
前記識別された第１のＶＣＩに少なくとも部分的に基づいて少なくとも１つの第１の仮想セルを決定すること、ここにおいて、各仮想セルは、パラメータのセットの少なくとも１つのパラメータに関連付けられる、と、
前記決定に少なくとも部分的に基づいて少なくとも１つのチャネルを処理することと  を備える方法。
［Ｃ２］
前記第１のＶＣＩは、半静的構成または制御チャネル内の情報フィールドに少なくとも部分的に基づいて識別される、［Ｃ１］に記載の方法。
［Ｃ３］
レート整合動作、多地点協調（ＣｏＭＰ）のためのクアジコロケーション動作、またはそれらの組み合わせに関するパラメータの前記セットを受信することをさらに備える、［Ｃ１］に記載の方法。
［Ｃ４］
前記レート整合動作および前記ＣｏＭＰのためのクアジコロケーション動作は、少なくとも、物理ダウンリンク共有チャネル（ＰＤＳＣＨ）、拡張物理ダウンリンク制御チャネル（ＥＰＤＣＣＨ）、またはそれらの組み合わせのためのものである、［Ｃ３］に記載の方法。
［Ｃ５］
前記第１のＶＣＩ、パラメータの前記セット、前記少なくとも１つの第１の仮想セル、またはそれらの組み合わせに少なくとも部分的に基づいて、前記処理することのためのタイミングを決定することをさらに備える、［Ｃ３］に記載の方法。
［Ｃ６］
前記処理することは、干渉キャンセレーションまたは干渉抑制を備える、［Ｃ１］に記載の方法。
［Ｃ７］
前記干渉キャンセレーションまたは干渉抑制は、少なくとも、セル間干渉、シングルユーザ多入力多出力（ＳＵ−ＭＩＭＯ）動作によるセル内干渉、マルチユーザＭＩＭＯ（ＭＵ−ＭＩＭＯ）動作によるセル内干渉、またはそれらの組み合わせについて行われる、［Ｃ６］に記載の方法。
［Ｃ８］
前記少なくとも１つのパラメータは、少なくとも、セル識別情報、セル固有基準信号（ＣＲＳ）のためのポートの数、ＣＲＳの周波数シフト、復調基準信号、データチャネルまたは制御チャネルに関する変調次数、少なくとも１つのチャネル状態情報基準信号（ＣＳＩ−ＲＳ）構成、またはそれらの組み合わせを備える、［Ｃ１］に記載の方法。
［Ｃ９］
前記第１のＶＣＩとは異なる第２のＶＣＩを識別することをさらに備え、ここにおいて、少なくとも１つの第２の仮想セルは、前記識別された第２のＶＣＩに少なくとも部分的に基づいて決定される、［Ｃ１］に記載の方法。
［Ｃ１０］
前記少なくとも１つの第２の仮想セルは、前記第１のＶＣＩに関連付けられた前記少なくとも１つの第１の仮想セルとは異なり、差分は、少なくとも、仮想セルの数、前記少なくとも１つの第１の仮想セルに関連付けられた前記少なくとも１つのパラメータ、またはそれらの組み合わせを備える、［Ｃ９］に記載の方法。
［Ｃ１１］
前記第１のＶＣＩおよび前記第２のＶＣＩは、同じフレームにおいて識別される、［Ｃ９］に記載の方法。
［Ｃ１２］
前記第１のＶＣＩは、第１のサブフレームにおいて識別され、前記第２のＶＣＩは、前記第１のサブフレームとは異なる第２のサブフレームにおいて識別される、［Ｃ９］に記載の方法。
［Ｃ１３］
前記少なくとも１つのチャネルは、データチャネルまたは制御チャネルである、［Ｃ１］に記載の方法。
［Ｃ１４］
ワイヤレス通信の方法であって、
複数の干渉測定リソース（ＩＭＲ）間の観測された干渉における差分を決定することと、
前記決定された差分に少なくとも部分的に基づいてチャネル状態情報（ＣＳＩ）を報告することと
を備える方法。
［Ｃ１５］
ワイヤレス通信のための装置であって、
メモリと、
前記メモリに結合された少なくとも１つのプロセッサと、
を備え、
前記少なくとも１つのプロセッサは、
第１の仮想セル識別情報（ＶＣＩ）を識別することと、
前記識別された第１のＶＣＩに少なくとも部分的に基づいて少なくとも１つの第１の仮想セルを決定すること、ここにおいて、各仮想セルは、パラメータのセットの少なくとも１つのパラメータに関連付けられる、と、
前記決定に少なくとも部分的に基づいて少なくとも１つのチャネルを処理することと  を行うように構成される、装置。
［Ｃ１６］
前記第１のＶＣＩは、半静的構成または制御チャネル内の情報フィールドに少なくとも部分的に基づいて識別される、［Ｃ１５］に記載の装置。
［Ｃ１７］
前記少なくとも１つのプロセッサは、レート整合動作、多地点協調（ＣｏＭＰ）のためのクアジコロケーション動作、またはそれらの組み合わせに関するパラメータの前記セットを受信するようにさらに構成される、［Ｃ１５］に記載の装置。
［Ｃ１８］
前記レート整合動作および前記ＣｏＭＰのためのクアジコロケーション動作は、少なくとも、物理ダウンリンク共有チャネル（ＰＤＳＣＨ）、拡張物理ダウンリンク制御チャネル（ＥＰＤＣＣＨ）、またはそれらの組み合わせのためのものである、［Ｃ１７］に記載の装置。
［Ｃ１９］
前記少なくとも１つのプロセッサは、前記第１のＶＣＩ、パラメータの前記セット、前記少なくとも１つの第１の仮想セル、またはそれらの組み合わせに少なくとも部分的に基づいて前記少なくとも１つのチャネルを処理するためのタイミングを決定するようにさらに構成される、［Ｃ１７］に記載の装置。
［Ｃ２０］
前記少なくとも１つのプロセッサは、干渉キャンセレーションまたは干渉抑制を行うことによって処理するようにさらに構成される、［Ｃ１５］に記載の装置。
［Ｃ２１］
前記干渉キャンセレーションまたは干渉抑制は、少なくとも、セル間干渉、シングルユーザ多入力多出力（ＳＵ−ＭＩＭＯ）動作によるセル内干渉、マルチユーザＭＩＭＯ（ＭＵ−ＭＩＭＯ）動作によるセル内干渉、またはそれらの組み合わせについて行われる、［Ｃ２０］に記載の装置。
［Ｃ２２］
前記少なくとも１つのパラメータは、少なくとも、セル識別情報、セル固有基準信号（ＣＲＳ）のためのポートの数、ＣＲＳの周波数シフト、復調基準信号、データチャネルまたは制御チャネルに関する変調次数、少なくとも１つのチャネル状態情報基準信号（ＣＳＩ−ＲＳ）構成、またはそれらの組み合わせを備える、［Ｃ１５］に記載の装置。
［Ｃ２３］
前記少なくとも１つのプロセッサは、前記第１のＶＣＩとは異なる第２のＶＣＩを識別するようにさらに構成され、ここにおいて、少なくとも１つの第２の仮想セルは、前記識別された第２のＶＣＩに少なくとも部分的に基づいて決定される、［Ｃ１５］に記載の装置。
［Ｃ２４］
前記少なくとも１つの第２の仮想セルは、前記第１のＶＣＩに関連付けられた前記少なくとも１つの第１の仮想セルとは異なり、前記差分は、少なくとも、仮想セルの数、前記少なくとも１つの第１の仮想セルに関連付けられた前記少なくとも１つのパラメータ、またはそれらの組み合わせを備える、［Ｃ２３］に記載の装置。
［Ｃ２５］
前記第１のＶＣＩおよび前記第２のＶＣＩは、同じフレームにおいて識別される、［Ｃ２３］に記載の装置。
［Ｃ２６］
前記第１のＶＣＩは、第１のサブフレームにおいて識別され、前記第２のＶＣＩは、前記第１のサブフレームとは異なる第２のサブフレームにおいて識別される、［Ｃ２３］に記載の装置。
［Ｃ２７］
前記少なくとも１つのチャネルは、データチャネルまたは制御チャネルである、［Ｃ１５］に記載の装置。
［Ｃ２８］
ワイヤレス通信のための装置であって、
メモリと、
前記メモリに結合された少なくとも１つのプロセッサと、
を備え、
前記少なくとも１つのプロセッサは、
複数の干渉測定リソース（ＩＭＲ）間の観測された干渉における差分を決定することと、
前記決定された差分に少なくとも部分的に基づいてチャネル状態情報（ＣＳＩ）を報告することと
を行うように構成された、装置。
【外国語明細書】
2019195182000001.pdf